(57)【要約】【課題】見る角度によって見え方が変化するチェンジング効果を有する高精細かつ繊細で見た目が綺麗なオフセットチェンジング模様がインキを利用したオフセット印刷によって印刷された箱を提供する。【解決手段】箱１０は、オフセット印刷によって印刷されたオフセットチェンジング模様２５を有する。オフセットチェンジング模様２５は、オーバープリントニスによって印刷されて任意の方向へ延びるとともに所定の方向へ離間対向して並ぶ極細の複数のオーバープリントニス短線の第１短線集合と、ＵＶ光沢ニスによって印刷されて任意の方向へ延びるとともに所定の方向へ離間対向して並ぶ極細の複数のＵＶ光沢ニス短線の第２短線集合とから形成され、光沢又は半光沢を有するそれらＵＶ光沢ニス短線が印刷面から凸状に弧を画くとともに異なる方向へ光を反射することで、見る角度によって見え方が変化するチェンジング効果を有する。【選択図】図１
2020104298.tif 000002
【特許請求の範囲】
【請求項１】
展開された箱用ブランクを組み立てることによって作られた所定形状の箱において、
前記箱が、前記箱用ブランクの印刷面にオフセット印刷によって印刷されたオフセットチェンジング模様を有し、
前記オフセットチェンジング模様が、オーバープリントニスによって前記印刷面に印刷され、任意の方向へ延びるとともに所定の方向へ離間対向して並ぶ極細の複数のオーバープリントニス短線の第１短線集合と、ＵＶ光沢ニスによって前記印刷面に印刷され、任意の方向へ延びるとともに所定の方向へ離間対向して並ぶ極細の複数のＵＶ光沢ニス短線の第２短線集合とから形成され、
前記オフセットチェンジング模様は、前記ＵＶ光沢ニスによって印刷された光沢又は半光沢を有するそれらＵＶ光沢ニス短線が前記オーバープリントニスによって印刷されたそれらオーバープリントニス短線の間に位置しつつ、前記印刷面から凸状に弧を画くとともに異なる方向へ光を反射することで、見る角度によって見え方が変化するチェンジング効果を有することを特徴とする箱。
【請求項２】
前記箱に印刷されたオフセットチェンジング模様では、前記オーバープリントニスに反発するＵＶ光沢ニスが該オーバープリントニスにはじかれ、前記ＵＶ光沢ニスが前記オーバープリントニスの間に露出する印刷面に集まり、前記オーバープリントニス短線の間に位置する前記ＵＶ光沢ニス短線が該オーバープリントニス短線よりも上方へ凸となるように弧を画いている請求項１に記載の箱。
【請求項３】
前記箱が、前記箱用ブランクの印刷面にオフセット印刷によって印刷されて前記オフセットチェンジング模様に囲繞されたオフセット印刷図画を有する請求項１又は請求項２に記載の箱。
【請求項４】
前記箱が、前記箱用ブランクの印刷面にコールドフォイル印刷によって印刷された箔を有し、前記オフセットチェンジング模様が、前記箔の上に印刷されている請求項１ないし請求項３いずれかに記載の箱。
【請求項５】
前記オーバープリントニス短線の第１短線集合と前記ＵＶ光沢ニス短線の第２短線集合とから形成されたオフセットチェンジング模様が、Ｃ（シアン）・Ｍ（マゼンダ）・Ｙ（イエロー）・Ｋ（スミ）の４色のインキ及び特色（白、金、銀を含む）の数色のインキを含む前記オーバープリントニスによって印刷されたカラー模様である請求項１ないし請求項４いずれかに記載の箱。
【請求項６】
前記オーバープリントニス短線の第１短線集合及び前記ＵＶ光沢ニス短線の第２短線集合から形成された同一の複数のオフセットチェンジング模様と前記第１短線集合及び前記第２短線集合から形成された異なる複数のオフセットチェンジング模様とのうちの少なくとも一方が、前記所定の方向へ並んだ状態で前記印刷面に印刷されている請求項１ないし請求項５いずれかに記載の箱。
【請求項７】
前記複数のオーバープリントニス短線と前記複数のＵＶ光沢ニス短線とが、仮想基準線に対して所定角度を有して前記所定の方向へ交差せずに離間対向して延びる複数の直線と、前記仮想基準線に対して所定角度を有して前記所定の方向へ交差せずに離間対向して延びる複数の曲線とのうちの少なくとも一方であり、前記オーバープリントニス短線及び前記ＵＶ光沢ニス短線の長さ寸法が、０．１〜２０ｍｍの範囲にあり、隣接する前記オーバープリントニス短線どうしの離間寸法と隣接する前記ＵＶ光沢ニス短線どうしの離間寸法とが、３０〜２００μｍの範囲にあり、前記オーバープリントニス短線及び前記ＵＶ光沢ニス短線の線太さが、５〜１５０μｍの範囲にあり、前記印刷面から凸状に弧を画く前記ＵＶ光沢ニス短線の最大高さが、５〜１００μｍの範囲にある請求項１ないし請求項６いずれかに記載の箱。
【請求項８】
前記オーバープリントニス短線の長さ寸法と前記ＵＶ光沢ニス短線の長さ寸法とが、前記所定の方向へ向かうにつれて次第に増加し又は次第に減少している請求項１ないし請求項７いずれかに記載の箱。
【請求項９】
前記オーバープリントニス短線の線太さと前記ＵＶ光沢ニス短線の線太さとが、前記所定の方向へ向かうにつれて次第に増加し又は次第に減少している請求項１ないし請求項８いずれかに記載の箱。
【請求項１０】
隣接する前記オーバープリントニス短線どうしの離間寸法と隣接する前記ＵＶ光沢ニス短線どうしの離間寸法とが、前記所定の方向へ向かうにつれて次第に増加し又は次第に減少している請求項１ないし請求項９いずれかに記載の箱。
【請求項１１】
前記ＵＶ光沢ニス短線の最大高さが、前記所定の方向へ向かうにつれて次第に増加し又は次第に減少している請求項１ないし請求項１０いずれかに記載の箱。
【請求項１２】
粘着面及び印刷面を有して所定の箇所に貼付される所定形状のラベル及び包材の一部として使用される所定形状の台紙において、
前記ラベル及び前記台紙が、その印刷面にオフセット印刷によって印刷されたオフセットチェンジング模様を有し、
前記オフセットチェンジング模様が、オーバープリントニスによって前記印刷面に印刷され、任意の方向へ延びるとともに所定の方向へ離間対向して並ぶ極細の複数のオーバープリントニス短線の第１短線集合と、ＵＶ光沢ニスによって前記印刷面に印刷され、任意の方向へ延びるとともに所定の方向へ離間対向して並ぶ光沢又は半光沢の極細の複数のＵＶ光沢ニス短線の第２短線集合とから形成され、
前記オフセットチェンジング模様は、前記オフセットチェンジング模様は、前記ＵＶ光沢ニスによって印刷された光沢又は半光沢を有するそれらＵＶ光沢ニス短線が前記オーバープリントニスによって印刷されたそれらオーバープリントニス短線の間に位置しつつ、前記印刷面から凸状に弧を画くとともに異なる方向へ光を反射することで、見る角度によって見え方が変化するチェンジング効果を有することを特徴とするラベル又は台紙。
【請求項１３】
前記ラベル又は前記台紙に印刷されたオフセットチェンジング模様では、前記オーバープリントニスに反発するＵＶ光沢ニスが該オーバープリントニスにはじかれ、前記ＵＶ光沢ニスが前記オーバープリントニスの間に露出する印刷面に集まり、前記オーバープリントニス短線の間に位置する前記ＵＶ光沢ニス短線が該オーバープリントニス短線よりも上方へ凸となるように弧を画いている請求項１２に記載のラベル又は台紙。
【請求項１４】
前記ラベル又は前記台紙が、その印刷面にオフセット印刷によって印刷されて前記オフセットチェンジング模様に囲繞されたオフセット印刷図画を有する請求項１２又は請求項１３に記載のラベル又は台紙。
【請求項１５】
前記ラベル又は前記台紙が、その印刷面にコールドフォイル印刷によって印刷された箔を有し、前記オフセットチェンジング模様が、前記箔の上に印刷されている請求項１２ないし請求項１４いずれかに記載のラベル又は台紙。
【請求項１６】
前記オーバープリントニス短線の第１短線集合と前記ＵＶ光沢ニス短線の第２短線集合とから形成されたオフセットチェンジング模様が、Ｃ（シアン）・Ｍ（マゼンダ）・Ｙ（イエロー）・Ｋ（スミ）の４色のインキを及び特色（白、金、銀を含む）の数色のインキ含む前記オーバープリントニスによって印刷されたカラー模様である請求項１２ないし請求項１５いずれかに記載のラベル又は台紙。
【請求項１７】
前記オーバープリントニス短線の第１短線集合及び前記ＵＶ光沢ニス短線の第２短線集合から形成された同一の複数のオフセットチェンジング模様と前記第１短線集合及び前記第２短線集合から形成された異なる複数のオフセットチェンジング模様とのうちの少なくとも一方が、前記所定の方向へ並んだ状態で前記印刷面に印刷されている請求項１２ないし請求項１６いずれかに記載のラベル又は台紙。
【請求項１８】
前記複数のオーバープリントニス短線と前記複数のＵＶ光沢ニス短線とが、仮想基準線に対して所定角度を有して前記所定の方向へ交差せずに離間対向して延びる複数の直線と、前記仮想基準線に対して所定角度を有して前記所定の方向へ交差せずに離間対向して延びる複数の曲線とのうちの少なくとも一方であり、前記オーバープリントニス短線及び前記ＵＶ光沢ニス短線の長さ寸法が、０．１〜２０ｍｍの範囲にあり、隣接する前記オーバープリントニス短線どうしの離間寸法と隣接する前記ＵＶ光沢ニス短線どうしの離間寸法とが、３０〜２００μｍの範囲にあり、前記オーバープリントニス短線及び前記ＵＶ光沢ニス短線の線太さが、５〜１５０μｍの範囲にあり、前記印刷面から凸状に弧を画く前記ＵＶ光沢ニス短線の最大高さが、５〜１００μｍの範囲にある請求項１２ないし請求項１７いずれかに記載のラベル又は台紙。
【請求項１９】
前記オーバープリントニス短線の長さ寸法と前記ＵＶ光沢ニス短線の長さ寸法とが、前記所定の方向へ向かうにつれて次第に増加し又は次第に減少している請求項１２ないし請求項１８いずれかに記載のラベル又は台紙。
【請求項２０】
前記オーバープリントニス短線の線太さと前記ＵＶ光沢ニス短線の線太さとが、前記所定の方向へ向かうにつれて次第に増加し又は次第に減少している請求項１２ないし請求項１９いずれかに記載のラベル又は台紙。
【請求項２１】
隣接する前記オーバープリントニス短線どうしの離間寸法と隣接する前記ＵＶ光沢ニス短線どうしの離間寸法とが、前記所定の方向へ向かうにつれて次第に増加し又は次第に減少している請求項１２ないし請求項２０いずれかに記載のラベル又は台紙。
【請求項２２】
前記ＵＶ光沢ニス短線の最大高さが、前記所定の方向へ向かうにつれて次第に増加し又は次第に減少している請求項１２ないし請求項２１いずれかに記載のラベル又は台紙。
【発明の詳細な説明】
【技術分野】
【０００１】
本発明は、展開された箱用ブランクを組み立てることによって作られた所定形状の箱に関するとともに、粘着面及び印刷面を有して所定の箇所に貼付される所定形状のラベル及び包材の一部として使用される所定形状の台紙に関する。
【背景技術】
【０００２】
互いに重なることのない直線又は曲線の配列による線画の各線の長さ、間隔、線幅又は角度を変化させることによって複数のパターン線画を形成するとともに、それらパターン線画を組み合わせた絵柄を印刷基材の全面にインクを用いた印刷によって断面山形状の線画として形成したことにより、印刷基材の絵柄の視認性が見る角度によって変化するようにしたチェンジング画像印刷物が開示されている（特許文献１参照）。前記特許文献１に開示のチェンジング画像印刷物は、破線形状を構成する短線が線画の構成要素になり、各短線を非常に微細に描いた場合でも、複数の連続的な直線を用いたり、直線を交差したりする構成とは異なり、印刷のためのインキが潰れたりする現象が生じ難く、各短線が均一な形状で整然と形成され、見る角度によって変化する絵柄が非常に繊細な視認性で目視可能となる。
【先行技術文献】
【特許文献】
【０００３】
【特許文献１】特開２０１５−１２０３２８号公報
【発明の概要】
【発明が解決しようとする課題】
【０００４】
見る角度によって見え方が変化するチェンジング印刷物には、前記特許文献１に開示のチェンジング画像印刷物の他に、ホログラム印刷によって作成されたホログラム印刷物やレンチキュラー印刷によって作成されたレンチキュラー印刷物がある。しかし、ホログラム印刷物を作成するには、印刷する紙にホログラムフィルムを貼着するホロラミ加工やホログラムを印刷物に転写させるトランスタバック加工を行う。レンチキュラー印刷物を作成するには、レンチキュラーレンズを印刷物に貼着し、又は、レンチキュラーレンズの裏面に直に印刷する。したがって、インキを利用した従来の印刷方法によってそれらの印刷物を作成することはできない。
【０００５】
本発明の目的は、見る角度によって見え方が変化するチェンジング効果を有する高精細かつ繊細で見た目が綺麗なオフセットチェンジング模様がインキを利用したオフセット印刷によって印刷され、見る者に好印象を与えることが可能であって見る者を引き付けることができる箱を提供することにある。本発明の他の目的は、印刷面を目立たせることが可能であって商品の購買意欲を掻き立てることができる箱を提供することにある。本発明の他の目的は、チェンジング効果を有するオフセットチェンジング模様とともにオフセット印刷によって印刷されたオフセット印刷図画を備え、オフセットチェンジング模様のチェンジング効果による目の錯覚を利用してオフセット印刷図画を際立たせることができ、見る者にオフセット印刷図画を鮮明かつ明確に認識させることができる箱を提供することにある。
【０００６】
本発明の目的は、見る角度によって見え方が変化するチェンジング効果を有する高精細かつ繊細で見た目が綺麗なオフセットチェンジング模様がインキを利用したオフセット印刷によって印刷され、見る者に好印象を与えることが可能であって見る者を引き付けることができるラベル又は台紙を提供することにある。本発明の他の目的は、印刷面を目立たせることが可能であって商品の購買意欲を掻き立てることができるラベル又は台紙を提供することにある。本発明の他の目的は、チェンジング効果を有するオフセットチェンジング模様とともにオフセット印刷によって印刷されたオフセット印刷図画を備え、オフセットチェンジング模様のチェンジング効果による目の錯覚を利用してオフセット印刷図画を際立たせることができ、見る者にオフセット印刷図画を鮮明かつ明確に認識させることができるラベル又は台紙を提供することにある。
【課題を解決するための手段】
【０００７】
前記課題を解決するための本発明の第１の前提は、展開された箱用ブランクを組み立てることによって作られた所定形状の箱である。
【０００８】
前記前提における本発明の箱の特徴としては、箱が、箱用ブランクの印刷面にオフセット印刷によって印刷されたオフセットチェンジング模様を有し、オフセットチェンジング模様が、印刷面に塗布されたオーバープリントニスによって印刷され、任意の方向へ延びるとともに所定の方向へ離間対向して並ぶ極細の複数のオーバープリントニス短線の第１短線集合と、印刷面に塗布されたＵＶ光沢ニスによって印刷され、任意の方向へ延びるとともに所定の方向へ離間対向して並ぶ極細の複数のＵＶ光沢ニス短線の第２短線集合とから形成され、オフセットチェンジング模様は、ＵＶ光沢ニスによって印刷された光沢又は半光沢を有するそれらＵＶ光沢ニス短線がオーバープリントニスによって印刷されたそれらオーバープリントニス短線の間に位置しつつ、印刷面から凸状に弧を画くとともに異なる方向へ光を反射することで、見る角度によって見え方が変化するチェンジング効果を有することにある。
【０００９】
本発明の箱の一例として、箱に印刷されたオフセットチェンジング模様では、オーバープリントニスに反発するＵＶ光沢ニスがオーバープリントニスにはじかれ、ＵＶ光沢ニスがオーバープリントニスの間に露出する印刷面に集まり、オーバープリントニス短線の間に位置するＵＶ光沢ニス短線がオーバープリントニス短線よりも上方へ凸となるように弧を画いている。
【００１０】
本発明の箱の他の一例としては、箱が、箱用ブランクの印刷面にオフセット印刷によって印刷されてオフセットチェンジング模様に囲繞されたオフセット印刷図画を有する。
【００１１】
本発明の箱の他の一例としては、箱が、箱用ブランクの印刷面にコールドフォイル印刷によって印刷された箔を有し、オフセットチェンジング模様が、箔の上に印刷されている。
【００１２】
本発明の箱の他の一例としては、オーバープリントニス短線の第１短線集合とＵＶ光沢ニス短線の第２短線集合とから形成されたオフセットチェンジング模様が、Ｃ（シアン）・Ｍ（マゼンダ）・Ｙ（イエロー）・Ｋ（スミ）の４色のインキ及び特色（白、金、銀を含む）の数色のインキを含むオーバープリントニスによって印刷されたカラー模様である。
【００１３】
本発明の箱の他の一例としては、オーバープリントニス短線の第１短線集合及びＵＶ光沢ニス短線の第２短線集合から形成された同一の複数のオフセットチェンジング模様と第１短線集合及び前記第２短線集合から形成された異なる複数のオフセットチェンジング模様とのうちの少なくとも一方が、所定の方向へ並んだ状態で印刷面に印刷されている。
【００１４】
本発明の箱の他の一例としては、複数のオーバープリントニス短線と複数のＵＶ光沢ニス短線とが、仮想基準線に対して所定角度を有して所定の方向へ交差せずに離間対向して延びる複数の直線と、仮想基準線に対して所定角度を有して所定の方向へ交差せずに離間対向して延びる複数の曲線とのうちの少なくとも一方であり、オーバープリントニス短線及びＵＶ光沢ニス短線の長さ寸法が、０．１〜２０ｍｍの範囲にあり、隣接するオーバープリントニス短線どうしの離間寸法と隣接するＵＶ光沢ニス短線どうしの離間寸法とが、３０〜２００μｍの範囲にあり、オーバープリントニス短線及びＵＶ光沢ニス短線の線太さが、５〜１５０μｍの範囲にあり、印刷面から凸状に弧を画くＵＶ光沢ニス短線の最大高さが、５〜１００μｍの範囲にある。
【００１５】
本発明の箱の他の一例としては、オーバープリントニス短線の長さ寸法とＵＶ光沢ニス短線の長さ寸法とが、所定の方向へ向かうにつれて次第に増加し又は次第に減少している。
【００１６】
本発明の箱の他の一例としては、オーバープリントニス短線の線太さとＵＶ光沢ニス短線の線太さとが、所定の方向へ向かうにつれて次第に増加し又は次第に減少している。
【００１７】
本発明の箱の他の一例としては、隣接するオーバープリントニス短線どうしの離間寸法と隣接するＵＶ光沢ニス短線どうしの離間寸法とが、所定の方向へ向かうにつれて次第に増加し又は次第に減少している。
【００１８】
本発明の箱の他の一例としては、ＵＶ光沢ニス短線の最大高さが、所定の方向へ向かうにつれて次第に増加し又は次第に減少している。
【００１９】
前記課題を解決するための本発明の第２の前提は、粘着面及び印刷面を有して所定の箇所に貼付される所定形状のラベル又は包材の一部として使用される所定形状の台紙である。
【００２０】
前記前提における本発明のラベル又は台紙の特徴としては、ラベル及び台紙が、その印刷面にオフセット印刷によって印刷されたオフセットチェンジング模様を有し、オフセットチェンジング模様が、印刷面に塗布されたオーバープリントニスによって印刷され、任意の方向へ延びるとともに所定の方向へ離間対向して並ぶ極細の複数のオーバープリントニス短線の第１短線集合と、印刷面に塗布されたＵＶ光沢ニスによって印刷され、任意の方向へ延びるとともに所定の方向へ離間対向して並ぶ光沢又は半光沢の極細の複数のＵＶ光沢ニス短線の第２短線集合とから形成され、オフセットチェンジング模様は、オフセットチェンジング模様は、ＵＶ光沢ニスによって印刷された光沢又は半光沢を有するそれらＵＶ光沢ニス短線がオーバープリントニスによって印刷されたそれらオーバープリントニス短線の間に位置しつつ、印刷面から凸状に弧を画くとともに異なる方向へ光を反射することで、見る角度によって見え方が変化するチェンジング効果を有することにある。
【００２１】
本発明のラベル又は台紙の一例として、ラベル又は台紙に印刷されたオフセットチェンジング模様では、オーバープリントニスに反発するＵＶ光沢ニスがオーバープリントニスにはじかれ、ＵＶ光沢ニスがオーバープリントニスの間に露出する印刷面に集まり、オーバープリントニス短線の間に位置するＵＶ光沢ニス短線がオーバープリントニス短線よりも上方へ凸となるように弧を画いている。
【００２２】
本発明のラベル又は台紙の他の一例としては、ラベル又は台紙が、その印刷面にオフセット印刷によって印刷されてオフセットチェンジング模様に囲繞されたオフセット印刷図画を有する。
【００２３】
本発明のラベル又は台紙の他の一例としては、ラベル又は台紙が、その印刷面にコールドフォイル印刷によって印刷された箔を有し、オフセットチェンジング模様が、箔の上に印刷されている。
【００２４】
本発明のラベル又は台紙の他の一例としては、オーバープリントニス短線の第１短線集合とＵＶ光沢ニス短線の第２短線集合とから形成されたオフセットチェンジング模様が、Ｃ（シアン）・Ｍ（マゼンダ）・Ｙ（イエロー）・Ｋ（スミ）の４色のインキ及び特色（白、金、銀を含む）の数色のインキを含むオーバープリントニスによって印刷されたカラー模様である。
【００２５】
本発明のラベル又は台紙の他の一例としては、オーバープリントニス短線の第１短線集合及びＵＶ光沢ニス短線の第２短線集合から形成された同一の複数のオフセットチェンジング模様と第１短線集合及び第２短線集合から形成された異なる複数のオフセットチェンジング模様とのうちの少なくとも一方が、所定の方向へ並んだ状態で印刷面に印刷されている。
【００２６】
本発明のラベル又は台紙の他の一例としては、複数のオーバープリントニス短線と複数のＵＶ光沢ニス短線とが、仮想基準線に対して所定角度を有して所定の方向へ交差せずに離間対向して延びる複数の直線と、仮想基準線に対して所定角度を有して所定の方向へ交差せずに離間対向して延びる複数の曲線とのうちの少なくとも一方であり、オーバープリントニス短線及びＵＶ光沢ニス短線の長さ寸法が、０．１〜２０ｍｍの範囲にあり、隣接するオーバープリントニス短線どうしの離間寸法と隣接するＵＶ光沢ニス短線どうしの離間寸法とが、３０〜２００μｍの範囲にあり、オーバープリントニス短線及びＵＶ光沢ニス短線の線太さが、５〜１５０μｍの範囲にあり、印刷面から凸状に弧を画くＵＶ光沢ニス短線の最大高さが、５〜１００μｍの範囲にある。
【００２７】
本発明のラベル又は台紙の他の一例としては、オーバープリントニス短線の長さ寸法とＵＶ光沢ニス短線の長さ寸法とが、所定の方向へ向かうにつれて次第に増加し又は次第に減少している。
【００２８】
本発明のラベル又は台紙の他の一例としては、オーバープリントニス短線の線太さとＵＶ光沢ニス短線の線太さとが、所定の方向へ向かうにつれて次第に増加し又は次第に減少している。
【００２９】
本発明のラベル又は台紙の他の一例としては、隣接するオーバープリントニス短線どうしの離間寸法と隣接するＵＶ光沢ニス短線どうしの離間寸法とが、所定の方向へ向かうにつれて次第に増加し又は次第に減少している。
【００３０】
本発明のラベル又は台紙の他の一例としては、ＵＶ光沢ニス短線の最大高さが、所定の方向へ向かうにつれて次第に増加し又は次第に減少している。
【発明の効果】
【００３１】
本発明に係る箱によれば、オフセット印刷によって印刷されたオフセットチェンジング模様を有し、オフセットチェンジング模様がオーバープリントニスによって印刷されて任意の方向へ延びるとともに所定の方向へ離間対向して並ぶ極細の複数のオーバープリントニス短線の第１短線集合とＵＶ光沢ニスによって印刷されて任意の方向へ延びるとともに所定の方向へ離間対向して並ぶ極細の複数のＵＶ光沢ニス短線の第２短線集合とから形成され、ＵＶ光沢ニスによって印刷された光沢又は半光沢を有するそれらＵＶ光沢ニス短線がオーバープリントニスによって印刷されたそれらオーバープリントニス短線の間に位置しつつ、印刷面から凸状に弧を画くとともに異なる方向へ光を反射することで、オフセットチェンジング模様が見る角度によって見え方が変化するチェンジング効果を有するから、箱を見る者に好印象を与えることができ、箱を見る者を強く引き付けることができる。箱は、その印刷面に優れたチェンジング効果を有するオフセットチェンジング模様が印刷されることで、印刷面を目立たせることができ、箱に収容された商品の購買意欲を掻き立てることができる。
【００３２】
オーバープリントニスに反発するＵＶ光沢ニスがオーバープリントニスにはじかれ、ＵＶ光沢ニスがオーバープリントニスの間に露出する印刷面に集まり、オーバープリントニス短線の間に位置するＵＶ光沢ニス短線がオーバープリントニス短線よりも上方へ凸となるように弧を画いている箱は、オーバープリントニス短線の間に位置するＵＶ光沢ニス短線がオーバープリントニス短線よりも上方へ凸となるように弧を画くとともにＵＶ光沢ニス短線が異なる方向へ光を反射することで、オフセットチェンジング模様が見る角度によって見え方が変化する優れたチェンジング効果を発揮し、印刷面の見端がよく、印刷面を目立たせることができ、箱を見る者に好印象を与え、箱を見る者を強く引き付けることができるとともに、箱に収容された商品の購買意欲を掻き立てることができる。
【００３３】
箱用ブランクの印刷面にオフセット印刷によって印刷されてオフセットチェンジング模様に囲繞されたオフセット印刷図画を有する箱は、オフセット印刷図画がチェンジング効果を有するオフセットチェンジング模様に囲繞され、オフセットチェンジング模様の優れたチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００３４】
箱用ブランクの印刷面にコールドフォイル印刷によって印刷された箔を有し、オフセットチェンジング模様が箔の上に印刷されている箱は、箱用ブランクの印刷面にコールドフォイル印刷によって箔を印刷することで、チェンジング効果を有するオフセットチェンジング模様において様々な色の金箔表現を行うことができるとともに、オフセットチェンジング模様において色や濃淡を連続した階調で表現したグラデーション表現を行うことができる。箱は、チェンジング効果を有するオフセットチェンジング模様において金箔表現やグラデーション表現を行うことができるから、印刷面の見端がよく、印刷面を目立たせることができ、箱を見る者に好印象を与え、箱を見る者を強く引き付けることができるとともに、箱に収容された商品の購買意欲を掻き立てることができる。
【００３５】
オーバープリントニス短線の第１短線集合とＵＶ光沢ニス短線の第２短線集合とから形成されたオフセットチェンジング模様がＣ（シアン）・Ｍ（マゼンダ）・Ｙ（イエロー）・Ｋ（スミ）の４色のインキ及び特色（白、金、銀を含む）の数色のインキを含むオーバープリントニスによって印刷されたカラー模様である箱は、チェンジング効果を有するオフセットチェンジング模様をカラーで表現することで、印刷面の見端がよく、印刷面を目立たせることができ、箱を見る者に好印象を与え、箱を見る者を強く引き付けることができるとともに、箱に収容された商品の購買意欲を掻き立てることができる。
【００３６】
オーバープリントニス短線の第１短線集合及びＵＶ光沢ニス短線の第２短線集合から形成された同一の複数のオフセットチェンジング模様と第１短線集合及び第２短線集合から形成された異なる複数のオフセットチェンジング模様とのうちの少なくとも一方が所定の方向へ並んだ状態で印刷面に印刷されている箱は、同一の態様の複数のオフセットチェンジング模様や異なる態様の複数のオフセットチェンジング模様が所定の方向へ並ぶことで、複数の同一又は異なる態様のオフセットチェンジング模様が印刷面に表現され、オフセットチェンジング模様が見る角度によって見え方が変化する優れたチェンジング効果を有するから、箱を見る者に好印象を与えることができ、箱を見る者を強く引き付けることができる。箱は、その印刷面に優れたチェンジング効果を有するオフセットチェンジング模様の複数の同一又は異なる模様が印刷されることで、印刷面を目立たせることができ、箱に収容された商品の購買意欲を掻き立てることができる。箱は、チェンジング効果を有する複数の同一又は異なる態様のオフセットチェンジング模様とともにオフセット印刷によって印刷されたオフセット印刷図画を備え、オフセットチェンジング模様のチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００３７】
複数のオーバープリントニス短線と複数のＵＶ光沢ニス短線とが仮想基準線に対して所定角度を有して所定の方向へ交差せずに離間対向して延びる複数の直線と仮想基準線に対して所定角度を有して所定の方向へ交差せずに離間対向して延びる複数の曲線とのうちの少なくとも一方であり、オーバープリントニス短線及びＵＶ光沢ニス短線の長さ寸法が０．１〜２０ｍｍの範囲にあり、隣接するオーバープリントニス短線どうしの離間寸法と隣接するＵＶ光沢ニス短線どうしの離間寸法とが３０〜２００μｍの範囲にあり、オーバープリントニス短線及びＵＶ光沢ニス短線の線太さが５〜１５０μｍの範囲にあり、印刷面から凸状に弧を画くＵＶ光沢ニス短線の最大高さが５〜１００μｍの範囲にある箱は、直線や曲線であるそれらオーバープリントニス短線の長さ寸法及びそれらＵＶ光沢ニス短線の長さ寸法、それらオーバープリントニス短線どうしの離間寸法及びそれらＵＶ光沢ニス短線どうしの離間寸法、オーバープリントニス短線の線太さ及びそれらＵＶ光沢ニス短線の線太さ、ＵＶ光沢ニス短線の最大高さを前記範囲にすることにより、極細のそれらオーバープリントニス短線の第１短線集合及び極細のそれらＵＶ光沢ニス短線の第２短線集合から形成されたオフセットチェンジング模様が高精細及び繊細で綺麗に表現され、箱を見る者に好印象を与えることができ、箱を見る者を強く引き付けることができる。箱は、その印刷面にチェンジング効果を有する高精細及び繊細で見た目が綺麗なオフセットチェンジング模様が印刷されることで、印刷面を目立たせることができ、箱に収容された商品の購買意欲を掻き立てることができる。箱は、オフセットチェンジング模様のチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００３８】
オーバープリントニス短線の長さ寸法とＵＶ光沢ニス短線の長さ寸法とが所定の方向へ向かうにつれて次第に増加し又は次第に減少している箱は、オーバープリントニス短線やＵＶ光沢ニス短線の長さ寸法を所定の方向へ向かうにつれて次第に増加させ又は次第に減少させることで、極細のそれらオーバープリントニス短線の第１短線集合及び極細のそれらＵＶ光沢ニス短線の第２短線集合から形成されたオフセットチェンジング模様が高精細及び繊細で綺麗に表現され、オフセットチェンジング模様が優れたチェンジング効果を発現し、箱を見る者に好印象を与えることができ、箱を見る者を強く引き付けることができる。箱は、オーバープリントニス短線の長さ寸法とＵＶ光沢ニス短線の長さ寸法とを次第に増加させ又は次第に減少させることによって優れたチェンジング効果を発現するオフセットチェンジング模様がその印刷面に印刷されることで、印刷面を目立たせることができ、箱に収容された商品の購買意欲を掻き立てることができる。箱は、オフセットチェンジング模様の優れたチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００３９】
オーバープリントニス短線の線太さとＵＶ光沢ニス短線の線太さとが所定の方向へ向かうにつれて次第に増加し又は次第に減少している箱は、オーバープリントニス短線の線太さやＵＶ光沢ニス短線の線太さを所定の方向へ向かうにつれて次第に増加させ又は次第に減少させることで、極細のそれらオーバープリントニス短線の第１短線集合及び極細のそれらＵＶ光沢ニス短線の第２短線集合から形成されたオフセットチェンジング模様が高精細及び繊細で綺麗に表現され、オフセットチェンジング模様が優れたチェンジング効果を発現し、箱を見る者に好印象を与えることができ、箱を見る者を強く引き付けることができる。箱は、オーバープリントニス短線の線太さやＵＶ光沢ニス短線の線太さを次第に増加させ又は次第に減少させることによって優れたチェンジング効果を発現するオフセットチェンジング模様がその印刷面に印刷されることで、印刷面を目立たせることができ、箱に収容された商品の購買意欲を掻き立てることができる。箱は、オフセットチェンジング模様の優れたチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００４０】
隣接するオーバープリントニス短線どうしの離間寸法と隣接するＵＶ光沢ニス短線どうしの離間寸法とが所定の方向へ向かうにつれて次第に増加し又は次第に減少している箱は、オーバープリントニス短線どうしの離間寸法やＵＶ光沢ニス短線どうしの離間寸法を所定の方向へ向かうにつれて次第に増加させ又は次第に減少させることで、極細のそれらオーバープリントニス短線の第１短線集合及び極細のそれらＵＶ光沢ニス短線の第２短線集合から形成されたオフセットチェンジング模様が高精細及び繊細で綺麗に表現され、オフセットチェンジング模様が優れたチェンジング効果を発現し、箱を見る者に好印象を与えることができ、箱を見る者を強く引き付けることができる。箱は、オーバープリントニス短線どうしの離間寸法やＵＶ光沢ニス短線どうしの離間寸法を次第に増加させ又は次第に減少させることによって優れたチェンジング効果を発現するオフセットチェンジング模様がその印刷面に印刷されることで、印刷面を目立たせることができ、箱に収容された商品の購買意欲を掻き立てることができる。箱は、オフセットチェンジング模様の優れたチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００４１】
ＵＶ光沢ニス短線の最大高さが所定の方向へ向かうにつれて次第に増加し又は次第に減少している箱は、ＵＶ光沢ニス短線の最大高さを所定の方向へ向かうにつれて次第に増加させ又は次第に減少させることで、極細のそれらオーバープリントニス短線の第１短線集合及び極細のそれらＵＶ光沢ニス短線の第２短線集合から形成されたオフセットチェンジング模様が高精細及び繊細で綺麗に表現され、オフセットチェンジング模様が優れたチェンジング効果を発現し、箱を見る者に好印象を与えることができ、箱を見る者を強く引き付けることができる。箱は、ＵＶ光沢ニス短線の最大高さを次第に増加させ又は次第に減少させることによって優れたチェンジング効果を発現するオフセットチェンジング模様がその印刷面に印刷されることで、印刷面を目立たせることができ、箱に収容された商品の購買意欲を掻き立てることができる。箱は、オフセットチェンジング模様の優れたチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００４２】
本発明に係るラベル又は台紙によれば、オフセット印刷によって印刷されたオフセットチェンジング模様を有し、オフセットチェンジング模様がオーバープリントニスによって印刷されて任意の方向へ延びるとともに所定の方向へ離間対向して並ぶ極細の複数のオーバープリントニス短線の第１短線集合とＵＶ光沢ニスによって印刷されて任意の方向へ延びるとともに所定の方向へ離間対向して並ぶ極細の複数のＵＶ光沢ニス短線の第２短線集合とから形成され、ＵＶ光沢ニスによって印刷された光沢又は半光沢を有するそれらＵＶ光沢ニス短線がオーバープリントニスによって印刷されたそれらオーバープリントニス短線の間に位置しつつ、印刷面から凸状に弧を画くとともに異なる方向へ光を反射することで、オフセットチェンジング模様が見る角度によって見え方が変化するチェンジング効果を有するから、ラベルや台紙を見る者に好印象を与えることができ、ラベルや台紙を見る者を強く引き付けることができる。ラベル又は台紙は、その印刷面に優れたチェンジング効果を有するオフセットチェンジング模様が印刷されることで、印刷面を目立たせることができ、ラベルが示す商品や台紙が示す商品の購買意欲を掻き立てることができる。
【００４３】
オーバープリントニスに反発するＵＶ光沢ニスがオーバープリントニスにはじかれ、ＵＶ光沢ニスがオーバープリントニスの間に露出する印刷面に集まり、オーバープリントニス短線の間に位置するＵＶ光沢ニス短線がオーバープリントニス短線よりも上方へ凸となるように弧を画いているラベル又は台紙は、オーバープリントニス短線の間に位置するＵＶ光沢ニス短線がオーバープリントニス短線よりも上方へ凸となるように弧を画くとともにＵＶ光沢ニス短線が異なる方向へ光を反射することで、オフセットチェンジング模様が見る角度によって見え方が変化する優れたチェンジング効果を発揮し、印刷面の見端がよく、印刷面を目立たせることができ、ラベルや台紙を見る者に好印象を与え、ラベルや台紙を見る者を強く引き付けることができるとともに、ラベルが示す商品や台紙が示す商品の購買意欲を掻き立てることができる。
【００４４】
印刷面にオフセット印刷によって印刷されてオフセットチェンジング模様に囲繞されたオフセット印刷図画を有するラベル又は台紙は、オフセット印刷図画がチェンジング効果を有するオフセットチェンジング模様に囲繞され、オフセットチェンジング模様の優れたチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００４５】
印刷面にコールドフォイル印刷によって印刷された箔を有し、オフセットチェンジング模様が箔の上に印刷されているラベル又は台紙は、印刷面にコールドフォイル印刷によって箔を印刷することで、チェンジング効果を有するオフセットチェンジング模様において様々な色の金箔表現を行うことができるとともに、オフセットチェンジング模様において色や濃淡を連続した階調で表現したグラデーション表現を行うことができる。ラベル又は台紙は、チェンジング効果を有するオフセットチェンジング模様において金箔表現やグラデーション表現を行うことができるから、印刷面の見端がよく、印刷面を目立たせることができ、ラベルや台紙を見る者に好印象を与え、ラベルや台紙を見る者を強く引き付けることができるとともに、ラベルが示す商品や台紙が示す商品の購買意欲を掻き立てることができる。
【００４６】
オーバープリントニス短線の第１短線集合とＵＶ光沢ニス短線の第２短線集合とから形成されたオフセットチェンジング模様がＣ（シアン）・Ｍ（マゼンダ）・Ｙ（イエロー）・Ｋ（スミ）の４色のインキ及び特色（白、金、銀を含む）の数色のインキを含むオーバープリントニスによって印刷されたカラー模様であるラベル又は台紙は、チェンジング効果を有するオフセットチェンジング模様をカラーで表現することで、印刷面の見端がよく、印刷面を目立たせることができ、ラベルや台紙を見る者に好印象を与え、ラベルや台紙を見る者を強く引き付けることができるとともに、ラベルが示す商品や台紙が示す商品の購買意欲を掻き立てることができる。
【００４７】
オーバープリントニス短線の第１短線集合及びＵＶ光沢ニス短線の第２短線集合から形成された同一の複数のオフセットチェンジング模様と第１短線集合及び第２短線集合から形成された異なる複数のオフセットチェンジング模様とのうちの少なくとも一方が所定の方向へ並んだ状態で印刷面に印刷されているラベル又は台紙は、同一の態様の複数のオフセットチェンジング模様や異なる態様の複数のオフセットチェンジング模様が所定の方向へ並ぶことで、複数の同一又は異なる態様のオフセットチェンジング模様が印刷面に表現され、オフセットチェンジング模様が見る角度によって見え方が変化する優れたチェンジング効果を有するから、ラベルや台紙を見る者に好印象を与えることができ、ラベルや台紙を見る者を強く引き付けることができる。ラベル又は台紙は、その印刷面に優れたチェンジング効果を有するオフセットチェンジング模様の複数の同一又は異なる模様が印刷されることで、印刷面を目立たせることができ、ラベルが示す商品や台紙が示す商品の購買意欲を掻き立てることができる。ラベル又は台紙は、チェンジング効果を有する複数の同一又は異なる態様のオフセットチェンジング模様とともにオフセット印刷によって印刷されたオフセット印刷図画を備え、オフセットチェンジング模様のチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００４８】
複数のオーバープリントニス短線と複数のＵＶ光沢ニス短線とが仮想基準線に対して所定角度を有して所定の方向へ交差せずに離間対向して延びる複数の直線と仮想基準線に対して所定角度を有して所定の方向へ交差せずに離間対向して延びる複数の曲線とのうちの少なくとも一方であり、オーバープリントニス短線及びＵＶ光沢ニス短線の長さ寸法が０．１〜２０ｍｍの範囲にあり、隣接するオーバープリントニス短線どうしの離間寸法と隣接するＵＶ光沢ニス短線どうしの離間寸法とが３０〜２００μｍの範囲にあり、オーバープリントニス短線及びＵＶ光沢ニス短線の線太さが５〜１５０μｍの範囲にあり、印刷面から凸状に弧を画くＵＶ光沢ニス短線の最大高さが５〜１００μｍの範囲にあるラベル又は台紙は、直線や曲線であるそれらオーバープリントニス短線の長さ寸法及びそれらＵＶ光沢ニス短線の長さ寸法、それらオーバープリントニス短線どうしの離間寸法及びそれらＵＶ光沢ニス短線どうしの離間寸法、オーバープリントニス短線の線太さ及びそれらＵＶ光沢ニス短線の線太さ、ＵＶ光沢ニス短線の最大高さを前記範囲にすることにより、極細のそれらオーバープリントニス短線の第１短線集合及び極細のそれらＵＶ光沢ニス短線の第２短線集合から形成されたオフセットチェンジング模様が高精細及び繊細で綺麗に表現され、ラベルや台紙を見る者に好印象を与えることができ、ラベルや台紙を見る者を強く引き付けることができる。ラベル又は台紙は、その印刷面にチェンジング効果を有する高精細及び繊細で見た目が綺麗なオフセットチェンジング模様が印刷されることで、印刷面を目立たせることができ、ラベルが示す商品や台紙が示す商品の購買意欲を掻き立てることができる。ラベル又は台紙は、オフセットチェンジング模様のチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００４９】
オーバープリントニス短線の長さ寸法とＵＶ光沢ニス短線の長さ寸法とが所定の方向へ向かうにつれて次第に増加し又は次第に減少しているラベル又は台紙は、オーバープリントニス短線やＵＶ光沢ニス短線の長さ寸法を所定の方向へ向かうにつれて次第に増加させ又は次第に減少させることで、極細のそれらオーバープリントニス短線の第１短線集合及び極細のそれらＵＶ光沢ニス短線の第２短線集合から形成されたオフセットチェンジング模様が高精細及び繊細で綺麗に表現され、オフセットチェンジング模様が優れたチェンジング効果を発現し、ラベルや台紙を見る者に好印象を与えることができ、ラベルや台紙を見る者を強く引き付けることができる。ラベル又は台紙は、オーバープリントニス短線の長さ寸法とＵＶ光沢ニス短線の長さ寸法とを次第に増加させ又は次第に減少させることによって優れたチェンジング効果を発現するオフセットチェンジング模様がその印刷面に印刷されることで、印刷面を目立たせることができ、ラベルが示す商品や台紙が示す商品の購買意欲を掻き立てることができる。ラベル又は台紙は、オフセットチェンジング模様の優れたチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００５０】
オーバープリントニス短線の線太さとＵＶ光沢ニス短線の線太さとが所定の方向へ向かうにつれて次第に増加し又は次第に減少しているラベル又は台紙は、オーバープリントニス短線の線太さやＵＶ光沢ニス短線の線太さを所定の方向へ向かうにつれて次第に増加させ又は次第に減少させることで、極細のそれらオーバープリントニス短線の第１短線集合及び極細のそれらＵＶ光沢ニス短線の第２短線集合から形成されたオフセットチェンジング模様が高精細及び繊細で綺麗に表現され、オフセットチェンジング模様が優れたチェンジング効果を発現し、ラベルや台紙を見る者に好印象を与えることができ、ラベルや台紙を見る者を強く引き付けることができる。ラベル又は台紙は、オーバープリントニス短線の線太さやＵＶ光沢ニス短線の線太さを次第に増加させ又は次第に減少させることによって優れたチェンジング効果を発現するオフセットチェンジング模様がその印刷面に印刷されることで、印刷面を目立たせることができ、ラベルが示す商品や台紙が示す商品の購買意欲を掻き立てることができる。ラベル又は台紙は、オフセットチェンジング模様の優れたチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００５１】
隣接するオーバープリントニス短線どうしの離間寸法と隣接するＵＶ光沢ニス短線どうしの離間寸法とが所定の方向へ向かうにつれて次第に増加し又は次第に減少しているラベル又は台紙は、オーバープリントニス短線どうしの離間寸法やＵＶ光沢ニス短線どうしの離間寸法を所定の方向へ向かうにつれて次第に増加させ又は次第に減少させることで、極細のそれらオーバープリントニス短線の第１短線集合及び極細のそれらＵＶ光沢ニス短線の第２短線集合から形成されたオフセットチェンジング模様が高精細及び繊細で綺麗に表現され、オフセットチェンジング模様が優れたチェンジング効果を発現し、ラベルや台紙を見る者に好印象を与えることができ、ラベルや台紙を見る者を強く引き付けることができる。ラベル又は台紙は、オーバープリントニス短線どうしの離間寸法やＵＶ光沢ニス短線どうしの離間寸法を次第に増加させ又は次第に減少させることによって優れたチェンジング効果を発現するオフセットチェンジング模様がその印刷面に印刷されることで、印刷面を目立たせることができ、ラベルが示す商品や台紙が示す商品の購買意欲を掻き立てることができる。ラベル又は台紙は、オフセットチェンジング模様の優れたチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００５２】
ＵＶ光沢ニス短線の最大高さが所定の方向へ向かうにつれて次第に増加し又は次第に減少しているラベル又は台紙は、ＵＶ光沢ニス短線の最大高さを所定の方向へ向かうにつれて次第に増加させ又は次第に減少させることで、極細のそれらオーバープリントニス短線の第１短線集合及び極細のそれらＵＶ光沢ニス短線の第２短線集合から形成されたオフセットチェンジング模様が高精細及び繊細で綺麗に表現され、オフセットチェンジング模様が優れたチェンジング効果を発現し、ラベルや台紙を見る者に好印象を与えることができ、ラベルや台紙を見る者を強く引き付けることができる。ラベル又は台紙は、ＵＶ光沢ニス短線の最大高さを次第に増加させ又は次第に減少させることによって優れたチェンジング効果を発現するオフセットチェンジング模様がその印刷面に印刷されることで、印刷面を目立たせることができ、ラベルが示す商品や台紙が示す商品の購買意欲を掻き立てることができる。ラベル又は台紙は、オフセットチェンジング模様の優れたチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【図面の簡単な説明】
【００５３】
【図１】一例として示すサック箱の正面斜視図。
【図２】サック箱を展開した箱用ブランクの展開平面図。
【図３】オフセットチェンジング模様の一例を示す図。
【図４】オフセットチェンジング模様の他の一例を示す図。
【図５】オーバープリントニス短線の一例を示す図。
【図６】ＵＶ光沢ニス短線４２における光の反射の一例を説明する図
【図７】サック箱の正面板に印刷されたオフセット印刷図画及びオフセットチェンジング模様の一例を示す図。
【図８】サック箱の正面板に印刷された図７のオフセットチェンジング模様の部分拡大図。
【図９】サック箱の背面板に印刷されたオフセット印刷図画及びオフセットチェンジング模様の一例を示す図。
【図１０】サック箱の背面板に印刷された図９のオフセットチェンジング模様の部分拡大図。
【図１１】サック箱の第１側面板に印刷されたオフセット印刷図画及びオフセットチェンジング模様の一例を示す図.
【図１２】サック箱の第１側面板に印刷された図１１のオフセットチェンジング模様の部分拡大図。
【図１３】サック箱の第２側面板に印刷されたオフセット印刷図画及びオフセットチェンジング模様の一例を示す図。
【図１４】サック箱の第２側面板に印刷された図１３のオフセットチェンジング模様の部分拡大図。
【図１５】サック箱の上面板に印刷されたオフセットチェンジング模様の一例を示す図。
【図１６】サック箱の上面板に印刷された図１５のオフセットチェンジング模様の部分拡大図。
【図１７】オフセット印刷図画及びオフセットチェンジング模様が印刷されたラベルの一例を示す図。
【図１８】ラベルに印刷された図１７のオフセットチェンジング模様の部分拡大図。
【図１９】オフセット印刷図画及びオフセットチェンジング模様が印刷された台紙の一例を示す図。
【図２０】台紙に印刷された図１９のオフセットチェンジング模様の部分拡大図。
【図２１】他の一例として示すオフセットチェンジング模様の部分拡大図。
【図２２】他の一例として示すオフセットチェンジング模様の部分拡大図。
【図２３】他の一例として示すオフセットチェンジング模様の部分拡大図。
【発明を実施するための形態】
【００５４】
一例として示すサック箱１０の正面斜視図である図１等の添付の図面を参照し、本発明にかかる箱の詳細を説明すると、以下のとおりである。なお、図２は、サック箱１０を展開した箱用ブランク２６の展開平面図である。図１，２では、上下方向を矢印Ａ、幅方向を矢印Ｂで示し、前後方向を矢印Ｃ（図１のみ）で示す。
【００５５】
なお、図１，２では、サック箱１０を図示しているが、箱の種類（形態）を図示のそれに限定するものではない。オフセット印刷図画２４及びオフセットチェンジング模様２５（オフセットチェンジング図画）が印刷された本発明の箱には、現在使用されているあらゆる箱のみならず、将来開発されるあらゆる種類（形態）の箱が含まれる。本発明の箱（オフセット印刷図画２４及びオフセットチェンジング模様２５が印刷された箱）の具体例としては、サック箱１０の他に、フタミ式貼箱やインロー式貼箱、キャラメル箱、底地獄箱、底ワンタッチ箱、ギフト箱、印籠箱、ブックタイプ箱、キャリータイプ箱、ハンガータイプ箱、ピロータイプ箱、組箱（額あり）、組箱（額なし）、Ｎ式箱、スリーブ箱、紙管（スパイラル）、紙管（平巻き）、紙管（巻締め）、紙管（フラット）、紙管（印籠）、紙管（かぶせ）、紙管（アウトラインケース）、貼箱（かぶせ）、貼箱（印籠）、貼箱（ブック）、貼箱（ヒンジ）、ダイカット箱、ワンピース箱、Ｖカット箱、クリアーケース、特殊貼四隅貼箱、ケーキ箱、平留め箱、段ボール箱、自由設計箱等がある。
【００５６】
箱の材質の具体例としては、紙（板紙）や合成樹脂シート（プラスチックシート）、複合シートが使用される。紙（板紙）には、チップボールやクラフトボール、コートボール、ノーコートボール、コートアイボリー、段ボール、高級板紙、特殊板紙、非木材紙、間伐材紙等が使用される。合成樹脂シートには、ＰＰシートやＰＥＴシート等が使用される。合成樹脂シートは、有色透明や有色半透明、無色透明、無色半透明のいずれであってもよい。複合シートには、紙と合成樹脂シートとのラミネートシート、アルミ蒸着紙、ホイル紙、ファンシーペーパー、耐水・耐油紙、耐熱紙、抗菌板紙等が使用される。箱には、各種表面加工（プレスコートやＵＶコート、フィルムコート）が施される場合がある。箱の印刷面２７は光沢性（金色や無色銀色、有色銀色）又は半光沢性（金色や無色銀色、有色銀色）を有することが好ましい。なお、箱の材質に特に限定はなく、箱の材質には現在使用されているもののみならず、将来使用されるあらゆる材質が含まれる。
【００５７】
サック箱１０（箱）は、上下方向へ長い六面体であり、前後方向へ対向しつつ上下方向へ並行して延びる所定面積の正面板１１（正面パネル）及び背面板１２（背面パネル）と、幅方向へ対向しつつ上下方向へ並行して延びる所定面積の一対の第１側面板１３（第１側面パネル）および第２側面板１４（第２側面パネル）と、上下方向へ延びる連接板１５（連接パネル）と、上下方向へ対向しつつ幅方向へ並行して延びる所定面積の上面板１６（上面パネル）および下面板１７（下面パネル）と、上下方向へ延びる第１〜第４フラップ１８〜２１と、上下方向へ延びる第１及び第２差し込みフラップ２２，２３とから形成されている。
【００５８】
正面板１１と第１及び第２側面板１３，１４と上面板１６とには、オフセット印刷図画２４とオフセットチェンジング模様２５（オフセットチェンジング図画）とが印刷されている。なお、正面板１１と第１及び第２側面板１３，１４と上面板１６とにオフセットチェンジング模様２５のみが印刷されていてもよい。背面板１２には、オフセットチェンジング模様２５（オフセットチェンジング図画）が印刷されている。オフセット印刷図画２４は、オフセットチェンジング模様２５とは異なる色であって所定の色（無彩色又は有彩色）に着色されている。サック箱１０では、それを作る長尺の原反に複数の箱用ブランク２６を型取り、オフセット印刷（ＵＶインキ又は油性インキを使用）によって箱用ブランク２６（原反）の印刷面２７の所定の箇所にオフセット印刷図画２４を連続して印刷した後、オフセット印刷（ＵＶインキ又は油性インキを使用）によって箱用ブランク２６（原反）の印刷面２７の所定の箇所にオフセットチェンジング模様２５を連続して印刷する。箱用ブランク２６（原反）では、オフセットチェンジング模様２５がオフセット印刷図画２４を印刷した印刷面２７を除く残余の印刷面２７に印刷される場合、又は、オフセット印刷図画２４を印刷した印刷面２７においてオフセットチェンジング模様２５がオフセット印刷図画２４に重ねて印刷される場合がある。
【００５９】
原反にオフセット印刷図画２４及びオフセットチェンジング模様２５を印刷した後、原反から箱用ブランク２６を切り離し、箱用ブランク２６を組み立てることでサック箱１０が作られる。サック箱１０には、それら板１１〜１７（パネル）に囲繞された所定容積の商品収容スペース２８が形成されている。サック箱１０は、その商品収容スペース２８に所定の商品（物品）を収容し、オフセット印刷図画２４やシルクスクリーン印刷図画２５が見えるように商品陳列棚や商品陳列ケース等の所定の箇所に載置され、人目に付くように商品陳列棚や商品陳列ケース等に陳列される。
【００６０】
正面板１１および背面板１２は、上下方向へ長い略矩形に成形（カット）され、上下方向へ延びている。第１及び第２側面板１３，１４や連接板１５」は、上下方向へ長い略矩形に成形（カット）され、上下方向へ延びている。上面板１６及び下面板１７は、幅方向へ長い略矩形に成形（カット）され、幅方向へ延びている。上面板１６や第１及び第２フラップ１８，１９、第１差し込みフラップ２２は、箱１０の頂部開口を塞ぎ、下面板１７や第３及び第４フラップ２０，２１、第２差し込みフラップ２３は、箱１０の底部開口を塞ぐ。
【００６１】
第１側面板１３（右側面板）は、図２の展開平面図に示すように、正面板１１の一方の側縁２９に連接されている。第２側面板１４（左側面板）は、正面板１１の他方の側縁３０と背面板１２の一方の側縁３１とに連接されている。連接板１５は、背面板１２の他方の側縁３２に連接されている。上面板１６は、正面板１１の上端縁３３に連接され、下面板１７は、正面板１１の下端縁３４に連接されている。第１フラップ１８は、第１側面板１３の上端縁３５に連接され、第２フラップ１９は、第２側面板１４の上端縁３６に連接されている。第３フラップ２０は、第１側面板１３の下端縁３７に連接され、第４フラップ２１は、第２側面板１４の下端縁３８に連接されている。第１差し込みフラップ２２は、上面板１６の端縁３９に連接され、第２差し込みフラップ２３は、下面板１７の端縁４０に連接されている。
【００６２】
図２に示す箱用ブランク箱２６からサック箱１０（箱）を組み立てる手順の一例は、背面板１２に対して連接板１５が直交するように連接板１５を側縁３２において折曲し（折り曲げ）、第２側面板１４に対して背面板１２が直交するように背面板１２を側縁３１において折曲する（折り曲げる）。第２側面板１４が正面板１１に対して直交するように第２側面板１４を側縁３０において折曲し（折り曲げ）、正面板１１が第１側面板１３に対して直交するように正面板１１を側縁２９において折曲する（折り曲げる）。それら板１１〜１５を折曲した後、接着剤（糊）を利用して連接板１５を第１側面板１３の内面に固着する。
【００６３】
次に、第３及び第４フラップ２０，２１を端縁３７，３８において折曲し（折り曲げ）、下面板１７及び第２差し込みフラップ２３を端縁３４，４０において折曲し（折り曲げ）、第２差し込みフラップ２３を背面板１２の内側に差し込み、底部開口を塞ぐ。頂部開口から商品収容スペース２８に所定の商品（物品）を収容した後、第１及び第２フラップ１８，２９を端縁３５，３６において折曲し（折り曲げ）、上面板１６及び第１差し込みフラップ２２を端縁３３，３９において折曲し（折り曲げ）、第１差し込みフラップ２２を背面板１２の内側に差し込み、頂部開口を塞ぐ。
【００６４】
図３は、オフセットチェンジング模様２５の一例を示す図であり、図４は、オフセットチェンジング模様２５の他の一例を示す図である。図５は、オーバープリントニス短線４１の一例を示す図であり、図６は、ＵＶ光沢ニス短線４２における光の反射の一例を説明する図である。図７は、サック箱１０の正面板１１に印刷されたオフセット印刷図画２４及びオフセットチェンジング模様２５ａの一例を示す図であり、図８は、サック箱１０の正面板１１に印刷された図７のオフセットチェンジング模様２５ａの部分拡大図である。図９は、サック箱１０の背面板１２に印刷されたオフセット印刷図画２４及びオフセットチェンジング模様２５ｂの一例を示す図であり、図１０は、サック箱１０の背面板１２に印刷された図９のオフセットチェンジング模様２５ｂの部分拡大図である。
【００６５】
オフセット印刷図画２４は、正面板１１の上部に印刷され、その周囲がオフセットチェンジング模様２５ａに囲まれ、オフセットチェンジング模様２５ａに囲繞されている。正面板１１の印刷面２７に印刷されたオフセットチェンジング模様２５ａの印刷面積全域を１００％としたときの正面板１１の印刷面２７に印刷されたオフセット印刷図画２４の印刷面積の割合は、５〜２０％の範囲にある。オフセット印刷図画２４の印刷面積の割合が５％未満では、オフセット印刷図画２４の印刷面積が少なく、オフセット印刷図画２４を明瞭に表現することができない。オフセット印刷図画２４の印刷面積の割合が２０％を超過すると、オフセットチェンジング模様２５ａの印刷面積に対するオフセット印刷図画２４の印刷面積が大きく、オフセットチェンジング模様２５ａの中にオフセット印刷図画２４を鮮明に浮き上がらせることができず、オフセット印刷図画２４を明瞭に表現することができない。オフセット印刷図画２４の印刷面積の割合が前記範囲にあるから、オフセットチェンジング模様２５ａを利用してオフセットチェンジング模様２５ａの中にオフセット印刷図画２５を鮮明に浮き上がらせることができ、オフセット印刷図画２５を明瞭に表現することができる。
【００６６】
オフセットチェンジング模様２５ａ（オフセットチェンジング模様２５ｂ〜２５ｊを含む）は、仕上がり画像をイメージした高細線を書き起こし、図画原稿フィルム（所定の模様）を作成した後、作成した図画原稿フィルムを使用して製版し、製版した刷版にオーバープリントニスを乗せて印刷するとともに、ＵＶ光沢ニス引く。サック箱１０の正面板１１の略全域及び背面板１２の略全域には、所定の方向へ並ぶ異なる態様（模様）の複数のオフセットチェンジング模様２５ａ，２５ｂが印刷されている。正面板１１に印刷されたそれらオフセットチェンジング模様２５ａの面積（大きさ）が背面板１２に印刷されたそれらオフセットチェンジング模様２５ｂの面積（大きさ）よりも大きい。なお、それらオフセットチェンジング模様２５ａ，２５ｂ（オフセットチェンジング模様２５ｃ〜２５ｊを含む）の面積（大きさ）に特に限定はなく、その面積（大きさ）を任意に決定することができる。また、正面板１１及び背面板１２の印刷面２７に印刷されたオフセットチェンジング模様２５ａ，２５ｂの態様（模様）に特に限定はなく、あらゆる態様（模様）のオフセットチェンジング模様２５ａ，２５ｂを正面板１１及び背面板１２の印刷面２７に印刷することができる。
【００６７】
それらオフセットチェンジング模様５ａ，２５ｂは、任意の方向に延びるとともに所定の方向（任意の方向と交差する方向）へ等間隔離間対向（所定間隔離間対向）して並ぶ極細の複数のオーバープリントニス短線４１の第１短線集合（第１高細線集合）と、任意の方向へ延びるとともに所定の方向（任意の方向と交差する方向）へ等間隔離間対向（所定間隔離間対向）して並ぶ極細の複数のＵＶ光沢ニス短線４２の第２短線集合（第２高細線集合）とから形成（画成）されている。
【００６８】
オフセットチェンジング模様２５ａ（オフセットチェンジング模様２５ｂ〜２５ｊを含む）の一例は、図３に示すように、印刷面２７にオーバープリントニス４３（ＯＰニス）によって印刷され、任意の方向へ延びるとともに所定の方向へ離間対向して並ぶ極細の複数のオーバープリントニス短線４１の第１短線集合によって画成された所定の模様と、オーバープリントニス４３によってオーバープリントニス短線４１を印刷した後にオーバープリントニス短線４１の上を含む印刷面２７に光沢又は半光沢を有するＵＶ光沢ニス４４によって印刷され、任意の方向へ延びるとともに所定の方向へ離間対向して並ぶ極細の複数のＵＶ光沢ニス短線４２の第２短線集合によって画成された模様とから形成されている。
【００６９】
オーバープリントニス短線４１の第１短線集合とＵＶ光沢ニス短線４２の第２短線集合とによって画成された図３のオフセットチェンジング模様２５は、Ｃ（シアン）・Ｍ（マゼンダ）・Ｙ（イエロー）・Ｋ（スミ）の４色のインキ及び特色（白、金、銀を含む）の数色のインキを含むオーバープリントニス４３によって印刷されたカラー模様である。なお、オフセットチェンジング模様２５が白黒模様であってもよい。オーバープリントニス短線４１の第１短線集合とＵＶ光沢ニス短線４２の第２短線集合とによって画成されたオフセットチェンジング模様２５では、オーバープリントニス４３に反発するＵＶ光沢ニス４４がオーバープリントニス４３にはじかれ、ＵＶ光沢ニス４４がオーバープリントニス４３の間に露出する印刷面２７に集まり、オーバープリントニス短線４１の間に位置するＵＶ光沢ニス短線４２がオーバープリントニス短線４１よりも上方へ凸となるように弧を画いている。
【００７０】
オフセットチェンジング模様２５ａ（オフセットチェンジング模様２５ｂ〜２５ｊを含む）の他の一例は、図４に示すように、印刷面２７にコールドフォイル印刷によって印刷された箔４５と、印刷面２７における箔４４の上にオーバープリントニス４３（ＯＰニス）によって印刷され、任意の方向へ延びるとともに所定の方向へ離間対向して並ぶ極細の複数のオーバープリントニス短線４１の第１短線集合によって画成された所定の模様と、オーバープリントニス４３によってオーバープリントニス短線４１を印刷した後にオーバープリントニス短線４１の上を含む印刷面２７に光沢又は半光沢を有するＵＶ光沢ニス４４によって印刷され、任意の方向へ延びるとともに所定の方向へ離間対向して並ぶ極細の複数のＵＶ光沢ニス短線４２の第２短線集合によって画成された模様とから形成されている。
【００７１】
コールドフォイル印刷によって印刷された箔４５とオーバープリントニス短線４１の第１短線集合とＵＶ光沢ニス短線４２の第２短線集合とによって画成された図４のオフセットチェンジング模様２５は、Ｃ（シアン）・Ｍ（マゼンダ）・Ｙ（イエロー）・Ｋ（スミ）の４色のインキ及び特色（白、金、銀を含む）の数色のインキを含むオーバープリントニス４３によって印刷されたカラー模様である。なお、オフセットチェンジング模様２５が白黒模様であってもよい。オーバープリントニス短線４１の第１短線集合とＵＶ光沢ニス短線４２の第２短線集合とによって画成されたオフセットチェンジング模様２５では、オーバープリントニス４３に反発するＵＶ光沢ニス４４がオーバープリントニス４３にはじかれ、ＵＶ光沢ニス４４がオーバープリントニス４３の間に露出する印刷面２７における箔４４の上に集まり、オーバープリントニス短線４１の間に位置するＵＶ光沢ニス短線４２がオーバープリントニス短線４１よりも上方へ凸となるように弧を画いている。
【００７２】
オーバープリントニス４３（ＯＰニス）によって印刷されたそれらオーバープリントニス短線４１は、図５に示すように、印刷面２７（又は箔４５）から上方へ隆起し、印刷面２７（又は箔４５）の上に盛られたオーバープリントニス層を形成している。光沢又は半光沢のＵＶ光沢ニス４４によって印刷されたそれらＵＶ光沢ニス短線４２は、図６に示すように、オーバープリントニス短線４１の間に位置し、印刷面２７（又は箔４５）から上方へ隆起して凸状に弧（円弧）を画き、印刷面２７（又は箔４５）の上に厚く盛られたＵＶ光沢ニス層を形成している。それらＵＶ光沢ニス短線４２は、入射する光を反射するが、入射する光の角度によって反射する光の角度が変わる。したがって、それらＵＶ光沢ニス短線４２（オフセットチェンジング模様２５ａ〜２５ｊ）を見る角度によってＵＶ光沢ニス短線４２から反射して見える光が変化する。なお、任意の方向に特に限定はなく、任意の方向を自由（上下方向、横方向、前後方向、斜め方向等）に設定することができ、所定の方向に特に限定はなく、所定の方向を自由（上下方向、横方向、前後方向、斜め方向等）に設定することができる。
【００７３】
サック箱１０の正面板１１や背面板１２に印刷されたそれらオフセットチェンジング模様２５ａ，２５ｂのうちの一方の種類のオフセットチェンジング模様２５ａ，２５ｂを画成するオーバープリントニス短線４１は、図８，図１０に示すように、仮想基準線Ｘに対して所定の角度で傾斜する直線４１ａであり、それら短線４１（直線４１ａ）が交差せずに互いに並行（平行）して延びている。それら短線４１（直線４１ａ）は、所定の方向へ等間隔離間対向（所定間隔離間対向）して並んでいる。一方の種類のオフセットチェンジング模様２５ａ，２５ｂを画成するＵＶ光沢ニス短線４２は、図８，図１０に示すように、仮想基準線Ｘに対して所定の角度で傾斜する直線４２ａであり、それら短線４２（直線４２ａ）が交差せずに互いに並行（平行）して延びている。それら短線４２（直線４２ａ）は、所定の方向へ等間隔離間対向（所定間隔離間対向）して並んでいる。それら短線４１，４２（直線４１ａ，４２ａ）は、その長さ寸法Ｌ１が所定の方向へ向かうにつれて次第に減少している。それら短線４１，４２（直線４１ａ，４２ａ）は、その線太さＬ２，Ｌ３や離間寸法Ｌ２，Ｌ３、最大高さＬ４が同一である。
【００７４】
なお、それら短線４１，４２（直線４１ａ，４２ａ）の長さ寸法Ｌ１が所定の方向へ向かうにつれて次第に増加していてもよい。また、それら短線４１，４２（直線４１ａ，４２ａ）の長さ寸法Ｌ１が所定の方向へ向かうにつれて次第に増加した後に次第に減少してもよく、それら短線４１，４２（直線４１ａ，４２ａ）の長さ寸Ｌ１法が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、その長さ寸法Ｌ１が所定の方向の一方へ向かうにつれて次第に減少しつつその長さ寸法Ｌ１が所定の方向の他方へ向かうにつれて次第に減少していてもよく、それら短線４１，４２（直線４１ａ，４２ａ）の長さ寸法Ｌ１が所定の方向へ向かって増加と減少とを繰り返してもよい。
【００７５】
サック箱１０の正面板１１や背面板１２に印刷されたそれらオフセットチェンジング模様２５ａ，２５ｂのうちの他方の種類のオフセットチェンジング模様２５ａ，２５ｂを画成するオーバープリントニス短線４１は、図８，図１０に示すように、仮想基準線Ｘに対して所定の角度で傾斜する曲線４１ｂであり、それら短線４１（曲線４１ｂ）が交差せずに互いに並行（平行）して延びている。それら短線４１（曲線４１ｂ）は、所定の方向へ等間隔離間対向（所定間隔離間対向）して並んでいる。他方の種類のオフセットチェンジング模様２５ａ，２５ｂを画成するＵＶ光沢ニス短線４２は、図８，図１０に示すように、仮想基準線Ｘに対して所定の角度で傾斜する曲線４２ｂであり、それら短線４２（曲線４２ｂ）が交差せずに互いに並行（平行）して延びている。それら短線４２（曲線４２ｂ）は、所定の方向へ等間隔離間対向（所定間隔離間対向）して並んでいる。それら短線４１，４２（曲線４１ｂ，４２ｂ）は、その長さ寸法Ｌ１が所定の方向へ向かうにつれて次第に減少している。それら短線４１，４２（曲線４１ｂ，４２ｂ）は、その線太さＬ２，Ｌ３や離間寸法Ｌ２，Ｌ３、最大高さＬ４が同一である。
【００７６】
なお、それら短線４１，４２（曲線４１ｂ，４２ｂ）の長さ寸法Ｌ１が所定の方向へ向かうにつれて次第に増加していてもよい。また、それら短線４１，４２（曲線４１ｂ，４２ｂ）の長さ寸法Ｌ１が所定の方向へ向かうにつれて次第に増加した後に次第に減少してもよく、それら短線４１，４２（曲線４１ｂ，４２ｂ）の長さ寸法Ｌ１が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、その長さ寸法Ｌ１が所定の方向の一方へ向かうにつれて次第に減少しつつその長さ寸法Ｌ１が所定の方向の他方へ向かうにつれて次第に減少していてもよく、それら短線４１，４２（曲線４１ｂ，４２ｂ）の長さ寸法Ｌ１が所定の方向へ向かって増加と減少とを繰り返してもよい。
【００７７】
正面板１１や背面板１２に印刷されたそれらオフセットチェンジング模様２５ａ，２５ｂは、オフセットチェンジング模様２５ａ，２５ｂを画成するそれらＵＶ光沢ニス短線４２（直線４２ａ、曲線４２ｂ）が異なる方向へ光を反射することで、見る角度によって見え方が変化するチェンジング効果を有する。正面板１１や背面板１２に印刷されたオフセットチェンジング模様２５ａ，２５ｂは、短線４１，４２（直線４１ａ，４２ａ、曲線４１ｂ，４２ｂ）の長さ寸法Ｌ１の変化（増加や減少）とともに、図２１に示す短線４１，４２（直線４１ａ，４２ａ、曲線４１ｂ，４２ｂ）の線太さＬ２，Ｌ３の変化（増加や減少）と図２２に示す短線４１，４２（直線４１ａ，４２ａ、曲線４１ｂ，４２ｂ）どうしの離間寸法Ｌ２，Ｌ３の変化（増加や減少）と図２３に示す短線４２（直線４２ａ、曲線４２ｂ）の最大高さＬ４の変化（増加や減少）とのうちの少なくとも１つの変化（増加や減少）をともなってもよい。
【００７８】
オフセットチェンジング模様２５ａ，２５ｂを画成する短線４１，４２（直線４１ａ，４２ａ、曲線４１ｂ，４２ｂ）は、その長さ寸法Ｌ１が０．１〜２０ｍｍの範囲、好ましくは、０．５〜１０ｍｍの範囲にある。短線４１，４２（直線４１ａ，４２ａ、曲線４１ｂ，４２ｂ）の長さ寸法Ｌ１が０．１ｍｍ未満では、短線４１，４２（直線４１ａ，４２ａ、曲線４１ｂ，４２ｂ）の長さ寸法Ｌ１が短くなりすぎてそれら極細の短線４１，４２の短線集合によって画成されたオフセットチェンジング模様２５ａ，２５ｂの視認性や明確性が低下し、オフセットチェンジング模様２５ａ，２５ｂを鮮明かつ明確に認識させることができない。短線４１，４２（直線４１ａ，４２ａ、曲線４１ｂ，４２ｂ）の長さ寸法Ｌ１が２０ｍｍを超過すると、短線４１，４２（直線４１ａ，４２ａ、曲線４１ｂ，４２ｂ）の長さ寸法Ｌ１が長くなりすぎてそれら極細の短線４１，４２の短線集合によって画成されたオフセットチェンジング模様２５ａ，２５ｂが粗削りに表現され、オフセットチェンジング模様２５ａ，２５ｂを高精細及び繊細で綺麗に表現することができない。
【００７９】
オフセットチェンジング模様２５ａ，２５ｂを画成する短線４１，４２（直線４１ａ，４２ａ、曲線４１ｂ，４２ｂ）の長さ寸法Ｌ１が前記範囲にあるから、それら極細の短線４１，４２の短線集合によって画成されてサック箱１０の正面板１１や背面板１２に印刷されたオフセットチェンジング模様２５ａ，２５ｂを高精細及び繊細で綺麗に表現することができるとともに、高精細及び繊細で綺麗に表現されたオフセットチェンジング模様２５ａ，２５ｂでオフセット印刷図画２４を囲繞することで、オフセットチェンジング模様２５ａ，２５ｂの中にオフセット印刷図画２４を鮮明に浮き上がらせることができ、オフセット印刷図画２４を明瞭に表現することができる。
【００８０】
オフセットチェンジング模様２５ａ，２５ｂを画成する短線４１，４２（直線４１ａ，４２ａ、曲線４１ｂ，４２ｂ）は、その線太さＬ２，Ｌ３が５〜１５０μｍの範囲、好ましくは、１０〜１００μｍの範囲にある。短線４１，４２（直線４１ａ，４２ａ、曲線４１ｂ，４２ｂ）の線太さＬ２，Ｌ３が５μｍ未満では、短線４１，４２（直線４１ａ，４２ａ、曲線４１ｂ，４２ｂ）の線太さＬ２，Ｌ３が細くなりすぎてそれら極細の短線４１，４２（直線４１ａ，４２ａ、曲線４１ｂ，４２ｂ）の短線集合によって画成されたオフセットチェンジング模様２５ａ，２５ｂの視認性や明確性が低下し、オフセットチェンジング模様２５ａ，２５ｂを鮮明かつ明確に認識させることができない。短線４１，４２（直線４１ａ，４２ａ、曲線４１ｂ，４２ｂ）の線太さＬ２，Ｌ３が１５０μｍを超過すると、短線４１，４２（直線４１ａ，４２ａ、曲線４１ｂ，４２ｂ）の線太さＬ２，Ｌ３が太くなりすぎてそれら極細の短線４１，４２（直線４１ａ，４２ａ、曲線４１ｂ，４２ｂ）の短線集合によって画成されたオフセットチェンジング模様２５ａ，２５ｂが粗削りに表現され、オフセットチェンジング模様２５ａ，２５ｂを模様高精細及び繊細で綺麗に表現することができない。
【００８１】
オフセットチェンジング模様２５ａ，２５ｂを画成する短線４１，４２（直線４１ａ，４２ａ、曲線４１ｂ，４２ｂ）の線太さＬ２，Ｌ３が前記範囲にあるから、それら極細の短線４１，４２（直線４１ａ，４２ａ、曲線４１ｂ，４２ｂ）の短線集合によって画成されてサック箱１０の正面板１１や背面板１２に印刷されたオフセットチェンジング模様２５ａ，２５ｂを高精細及び繊細で綺麗に表現することができるとともに、高精細及び繊細で綺麗に表現されたオフセットチェンジング模様２５ａ，２５ｂでオフセット印刷図画２４を囲繞することで、オフセットチェンジング模様２５ａ，２５ｂの中にオフセット印刷図画２４を鮮明に浮き上がらせることができ、オフセット印刷図画２４を明瞭に表現することができる。
【００８２】
オフセットチェンジング模様２５ａ，２５ｂを画成する短線４１，４２（直線４１ａ，４２ａ、曲線４１ｂ，４２ｂ）は、隣接する短線４１，４２（直線４１ａ，４２ａ、曲線４１ｂ，４２ｂ）どうしの所定の方向への離間寸法Ｌ２，Ｌ３が３０〜２００μｍの範囲、好ましくは、５０〜１００μｍの範囲にある。短線４１，４２（直線４１ａ，４２ａ、曲線４１ｂ，４２ｂ）どうしの離間寸法Ｌ２，Ｌ３が３０μｍ未満では、短線４１，４２（直線４１ａ，４２ａ、曲線４１ｂ，４２ｂ）どうしの間隔が狭くなりすぎてそれら極細の短線４１，４２（直線４１ａ，４２ａ、曲線４１ｂ，４２ｂ）の短線集合によって画成されたオフセットチェンジング模様２５ａ，２５ｂの視認性や明確性が低下し、オフセットチェンジング模様２５ａ，２５ｂを鮮明かつ明確に認識させることができない。短線４１，４２（直線４１ａ，４２ａ、曲線４１ｂ，４２ｂ）どうしの離間寸法Ｌ２，Ｌ３が２００μｍを超過すると、短線４１，４２（直線４１ａ，４２ａ、曲線４１ｂ，４２ｂ）どうしの間隔が広くなりすぎてそれら極細の短線４１，４２（直線４１ａ，４２ａ、曲線４１ｂ，４２ｂ）の短線集合によって画成されたオフセットチェンジング模様２５ａ，２５ｂが粗削りに表現され、オフセットチェンジング模様２５ａ，２５ｂを高精細及び繊細で綺麗に表現することができない。
【００８３】
オフセットチェンジング模様２５ａ，２５ｂを画成する短線４１，４２（直線４１ａ，４２ａ、曲線４１ｂ，４２ｂ）どうしの離間寸法Ｌ２，Ｌ３が前記範囲にあるから、それら極細の短線４１，４２（直線４１ａ，４２ａ、曲線４１ｂ，４２ｂ）の短線集合によって画成されてサック箱１０の正面板１１や背面板１２に印刷されたオフセットチェンジング模様２５ａ，２５ｂを高精細及び繊細で綺麗に表現することができるとともに、高精細及び繊細で綺麗に表現されたオフセットチェンジング模様２５ａ，２５ｂでオフセット印刷図画２４を囲繞することで、オフセットチェンジング模様２５ａ，２５ｂの中にオフセット印刷図画２４を鮮明に浮き上がらせることができ、オフセット印刷図画２４を明瞭に表現することができる。
【００８４】
オフセットチェンジング模様２５ａ，２５ｂの模様を画成する短線４２（直線４２ａ、曲線４２ｂ）は、印刷面２７から凸状に弧（円弧）を画く最大高さＬ４（インキ盛り量）が５〜１００μｍの範囲、好ましくは、５０〜１００のμｍの範囲にある。短線４２（直線４２ａ、曲線４２ｂ）の最大高さＬ４（インキ盛り量）が５μｍ未満では、短線４２（直線４２ａ、曲線４２ｂ）の最大高さＬ４が低くなりすぎてそれら極細の短線４１，４２（直線４１ａ，４２ａ、曲線４１ｂ，４２ｂ）の短線集合によって画成されたオフセットチェンジング模様２５ａ，２５ｂの立体性や視認性、明確性が低下し、オフセットチェンジング模様２５ａ，２５ｂを鮮明かつ明確に認識させることができない。短線４２（直線４２ａ、曲線４２ｂ）の最大高さＬ４（インキ盛り量）が１００μｍを超過すると、短線４２（直線４２ａ、曲線４２ｂ）の最大高さＬ４が高くなりすぎてそれら極細の短線４１，４２（直線４１ａ，４２ａ、曲線４１ｂ，４２ｂ）の短線集合によって画成されたオフセットチェンジング模様２５ａ，２５ｂが粗削りに表現され、オフセットチェンジング模様２５ａ，２１５ｂを高精細及び繊細で綺麗に表現することができない。
【００８５】
オフセットチェンジング模様２５ａ，２５ｂを画成する短線４２（直線４２ａ、曲線４２ｂ）の最大高さＬ４が前記範囲にあるから、それら極細の短線４１，４２（直線４１ａ，４２ａ、曲線４１ｂ，４２ｂ）の短線集合によって画成されてサック箱１０の正面板１１や背面板１２に印刷されたオフセットチェンジング模様２５ａ，２５ｂを高精細及び繊細で綺麗に表現することができるとともに、高精細及び繊細で綺麗に表現されたオフセットチェンジング模様２５ａ，２５ｂでオフセット印刷図画２４を囲繞することで、オフセットチェンジング模様２５ａ，２５ｂの中にオフセット印刷図画２４を鮮明に浮き上がらせることができ、オフセット印刷図画２４を明瞭に表現することができる。
【００８６】
図１１は、サック箱１０の第１側面板１３に印刷されたオフセット印刷図画２４及びオフセットチェンジング模様２５ｃ（オフセットチェンジング図画）の一例を示す図であり、図１２は、サック箱１０の第１側面板１３に印刷された図１１のオフセットチェンジング模様２５ｃの部分拡大図である。図１３は、サック箱１０の第２側面板１４に印刷されたオフセット印刷図画２４及びオフセットチェンジング模様２５ｄ（オフセットチェンジング図画）の一例を示す図であり、図１４は、サック箱１０の第２側面板１４に印刷された図１３のオフセットチェンジング模様２５ｄの部分拡大図である。
【００８７】
オフセット印刷図画２４は、第１側面板１３（右側面板）の上部と第２側面板１３（左側面板）の上部とに印刷され、その周囲がオフセットチェンジング模様２５ｃ，２５ｄに囲まれ、オフセットチェンジング模様２５ｃ，２５ｄに囲繞されている。第１及び第２側面板１３，１４の印刷面２７に印刷されたオフセットチェンジング模様２５ｃ，２５ｄの印刷面積全域を１００％としたときの第１及び第２側面板１３，１４の印刷面２７に印刷されたオフセット印刷図画２４の印刷面積の割合は、正面板１１の印刷面２７に印刷されたオフセット印刷図画２４の印刷面積の割合と同一である。
【００８８】
サック箱１０（箱）の第１側面板１３の略全域には、所定の方向（任意の方向と交差する方向）へ並ぶ同一の態様（方形・三角形・菱形・多角形・円形等を組み合せた幾何学模様）の複数のオフセットチェンジング模様２５ｃ（オフセットチェンジング図画）が印刷されている。第１側面板１３の印刷面２７に印刷されたオフセットチェンジング模様２５の態様（模様）に特に限定はなく、あらゆる態様（模様）のオフセットチェンジング模様２５を第１側面板１３の印刷面２７に印刷することができる。それらオフセットチェンジング模様２５ｃは、任意の方向に延びるとともに所定の方向（任意の方向と交差する方向）へ等間隔離間対向（所定間隔離間対向）して並ぶ極細の複数のオーバープリントニス短線４１の第１短線集合と、任意の方向へ延びるとともに所定の方向（任意の方向と交差する方向）へ等間隔離間対向（所定間隔離間対向）して並ぶ極細の複数のＵＶ光沢ニス短線４２の第２短線集合とから形成（画成）されている。
【００８９】
サック箱１０の第１側面板１３に印刷されたそれら疑似エンボス２５ｃを画成するそれら短線４１，４２は、図１２に示すように、仮想基準線Ｘに対して所定の角度で傾斜する直線４１ａ，４２ａであり、それら短線４１，４２（直線４１ａ，４２ａ）が交差せずに互いに並行（平行）して延びている。それら短線４１，４２（直線４１ａ，４２ａ）は、所定の方向へ等間隔離間対向（所定間隔離間対向）して並んでいる。それら短線４１，４２（直線４１ａ，４２ａ）は、その長さ寸法Ｌ１が所定の方向の一方へ向かうにつれて次第に減少しつつその長さ寸法Ｌ１が所定の方向の他方へ向かうにつれて次第に減少している。第１側面板１３に印刷されたオフセットチェンジング模様２５ｃを画成するそれら短線４１，４２（直線４１ａ，４２ａ）は、その線太さＬ２，Ｌ３や離間寸法Ｌ２，Ｌ３、最大高さＬ４が同一である。
【００９０】
オフセットチェンジング模様２５ｃを画成する短線４１，４２（直線４１ａ，４２ａ）の長さ寸法Ｌ１の範囲（０．１〜２０ｍｍの範囲、好ましくは、０．５〜１０ｍｍの範囲）、それら短線４１，４２（直線４１ａ，４２ａ）の線太さＬ２，Ｌ３の範囲（５〜１５０μｍの範囲、好ましくは、１０〜１００μｍの範囲）、それら短線４１，４２（直線４１ａ，４２ａ）の離間寸法Ｌ２，Ｌ３の範囲（３０〜２００μｍの範囲、好ましくは、５０〜１００μｍの範囲）、それら短線４１，４２（直線４１ａ，４２ａ）の最大高さＬ４の範囲（５〜１００μｍの範囲、好ましくは、５０〜１００のμｍの範囲）は、既述のとおりである。
【００９１】
第１側面板１３に印刷されたオフセットチェンジング模様２５ｃを画成するそれら短線４１，４２（直線４１ａ，４２ａ）の長さ寸法Ｌ１や線太さＬ２，Ｌ３、離間寸法Ｌ２，Ｌ３、最大高さＬ４が前記範囲にあるから、それら極細の短線４１，４２（直線４１ａ，４２ａ）の短線集合によって画成されて箱１０の第１側面板１３に印刷されたオフセットチェンジング模様２５ｃを高精細及び繊細で綺麗に表現することができるとともに、高精細及び繊細で綺麗に表現されたオフセットチェンジング模様２５ｃでオフセット印刷図画２４を囲繞することで、オフセットチェンジング模様２５ｃの中にオフセット印刷図画２４を鮮明に浮き上がらせることができ、オフセット印刷図画２４を明瞭に表現することができる。
【００９２】
なお、オフセットチェンジング模様２５ｃの模様を画成する短線４１，４２（直線４１ａ，４２ａ）の長さ寸法Ｌ１が所定の方向へ向かうにつれて次第に増加していてもよく、それら短線４１，４２（直線４１ａ，４２ａ）の長さ寸法Ｌ１が所定の方向へ向かうにつれて次第に減少していてもよい。また、それら短線４１，４２（直線４１ａ，４２ａ）の長さ寸法Ｌ１が所定の方向へ向かうにつれて次第に増加した後に次第に減少してもよく、それら短線４１，４２（直線４１ａ，４２ａ）の長さ寸法Ｌ１が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、それら短線４１，４２（直線４１ａ，４２ａ）の長さ寸法Ｌ１が所定の方向へ向かって増加と減少とを繰り返してもよい。
【００９３】
サック箱１０（箱）の第２側面板１４の略全域には、所定の方向へ並ぶ同一及び異なる態様（楕円形の幾何学模様）の複数のオフセットチェンジング模様２５ｄが印刷されている。第２側面板１４の印刷面２７に印刷されたオフセットチェンジング模様２５の態様（模様）に特に限定はなく、あらゆる態様（模様）のオフセットチェンジング模様２５を第２側面板１４の印刷面２７に印刷することができる。それらオフセットチェンジング模様２５ｄは、任意の方向に延びるとともに所定の方向（任意の方向と交差する方向）へ等間隔離間対向（所定間隔離間対向）して並ぶ極細の複数のオーバープリントニス短線４１の第１短線集合と、任意の方向へ延びるとともに所定の方向（任意の方向と交差する方向）へ等間隔離間対向（所定間隔離間対向）して並ぶ極細の複数のＵＶ光沢ニス短線４２の第２短線集合とから形成（画成）されている。
【００９４】
サック箱１０の第２側面板１４に印刷されたそれらオフセットチェンジング模様２５ｄを画成するそれら短線４１，４２は、図１４に示すように、仮想基準線Ｘに対して所定の角度で傾斜する直線４１ａ，４２ａであり、それら短線４１，４２（直線４１ａ，４２ａ）が交差せずに互いに並行（平行）して延びている。それら短線４１，４２（直線４１ａ，４２ａ）は、所定の方向へ等間隔離間対向（所定間隔離間対向）して並んでいる。それら短線４１，４２（直線４１ａ，４２ａ）は、その長さ寸法Ｌ１が所定の方向の一方へ向かうにつれて次第に減少するとともに、その長さ寸法Ｌ１が所定の方向の他方へ向かうにつれて次第に減少している。第２側面板１４に印刷されたオフセットチェンジング模様２５ｄを画成するそれら短線４１，４２（直線４１ａ，４２ａ）は、その線太さＬ２や離間寸法Ｌ３、最大高さＬ４が同一である。
【００９５】
オフセットチェンジング模様２５ｄを画成する短線４１，４２（直線４１ａ，４２ａ）の長さ寸法Ｌ１の範囲（０．１〜２０ｍｍの範囲、好ましくは、０．５〜１０ｍｍの範囲）、それら短線４１，４２（直線４１ａ，４２ａ）の線太さＬ２，Ｌ３の範囲（５〜１５０μｍの範囲、好ましくは、１０〜１００μｍの範囲）、それら短線４１，４２（直線４１ａ，４２ａ）の離間寸法Ｌ２，Ｌ３の範囲（３０〜２００μｍの範囲、好ましくは、５０〜１００μｍの範囲）、それら短線４２（直線４２ａ）の最大高さＬ４の範囲（５〜１００μｍの範囲、好ましくは、５０〜１００のμｍの範囲）は、既述のとおりである。
【００９６】
第２側面板１４に印刷されたオフセットチェンジング模様２５ｄを画成するそれら短線４１，４２（直線４１ａ，４２ａ）の長さ寸法Ｌ１や線太さＬ２，Ｌ３、離間寸法Ｌ２，Ｌ３、最大高さＬ４が前記範囲にあるから、それら極細の短線４１，４２（直線４１ａ，４２ａ）の短線集合によって画成されてサック箱１０の第２側面板１４に印刷されたオフセットチェンジング模様２５ｄを高精細及び繊細で綺麗に表現することができるとともに、高精細及び繊細で綺麗に表現されたオフセットチェンジング模様２５ｄでオフセット印刷図画２４を囲繞することで、オフセットチェンジング模様２５ｄの中にオフセット印刷図画２４を鮮明に浮き上がらせることができ、オフセット印刷図画２４を明瞭に表現することができる。
【００９７】
なお、オフセットチェンジング模様２５ｄを画成する短線４１，４２（直線４１ａ，４２ａ）の長さ寸法Ｌ１が所定の方向へ向かうにつれて次第に増加していてもよく、それら短線４１，４２（直線４１ａ，４２ａ）の長さ寸法Ｌ１が所定の方向へ向かうにつれて次第に減少していてもよい。また、その長さ寸法Ｌ１が所定の方向の一方へ向かうにつれて次第に増加するとともにその長さ寸法Ｌ１が所定の方向の他方へ向かうにつれて次第に増加していてもよい。更に、それら短線４１，４２（直線４１ａ，４２ａ）の長さ寸法Ｌ１が所定の方向へ向かうにつれて次第に増加した後に次第に減少してもよく、それら短線４１，４２（直線４１ａ，４２ａ）の長さ寸法Ｌ１が所定の方向へ向かうにつれて次第に減少した後に次第に増加してもよく、それら短線４１，４２（直線４１ａ，４２ａ）の長さ寸法Ｌ１が所定の方向へ向かって増加と減少とを繰り返してもよい。
【００９８】
第１側面板１３や第２側面板１４に印刷されたそれらオフセットチェンジング模様２５ｃ，２５ｄは、オフセットチェンジング模様２５ｃ，２５ｄの模様を画成するそれら短線４２（直線４２ａ）が異なる方向へ光を反射することで、オフセットチェンジング模様２５ｃ，２５ｄが見る角度によって見え方が変化するチェンジング効果を有する。第１側面板１３や第２側面板１４に印刷されたオフセットチェンジング模様２５ｃ，２５ｄは、短線４１，４２（直線４１ａ，４２ａ）の長さ寸法Ｌ１の変化（増加や減少）とともに、図２１に示す短線４１，４２（直線４１ａ，４２ａ）の線太さＬ２，Ｌ３の変化（増加や減少）と図２２に示す短線４１，４２（直線４１ａ，４２ａ）どうしの離間寸法Ｌ２，Ｌ３の変化（増加や減少）と図２３に示す短線４２（直線４２ａ）の最大高さＬ４の変化（増加や減少）とのうちの少なくとも１つの変化（増加や減少）をともなってもよい。
【００９９】
図１５は、サック箱１０の上面板１６に印刷されたオフセットチェンジング模様２５ｅ（オフセットチェンジング図画）の一例を示す図であり、図１６は、サック箱１０の上面板１６に印刷された図１５のオフセットチェンジング模様２５ｅの部分拡大図である。サック箱１０（箱）の上面板１６の略全域には、所定の方向（任意の方向と交差する方向）へ並ぶ同一の態様（模様）の複数のオフセットチェンジング模様２５ｅ（オフセットチェンジング図画）が印刷されている。上面板１６の印刷面２７に印刷されたオフセットチェンジング模様２５の態様（模様）に特に限定はなく、あらゆる態様（模様）のオフセットチェンジング模様２５を上面板１６の印刷面２７に印刷することができる。それらオフセットチェンジング模様２５ｅは、任意の方向に延びるとともに所定の方向（任意の方向と交差する方向）へ等間隔離間対向（所定間隔離間対向）して並ぶ極細の複数のオーバープリントニス短線４１の第１短線集合と、任意の方向へ延びるとともに所定の方向（任意の方向と交差する方向）へ等間隔離間対向（所定間隔離間対向）して並ぶ極細の複数のＵＶ光沢ニス短線４２の第２短線集合とから形成（画成）されている。
【０１００】
サック箱１０の上面板１６に印刷されたそれらオフセットチェンジング模様２５ｅを画成するそれら短線４１，４２は、図１６に示すように、仮想基準線Ｘに対して所定の角度で傾斜する直線４１ａ，４２ａであり、それら短線４１，４２（直線４１ａ，４２ａ）が交差せずに放射状に延びている。それら短線４１，４２（直線４１ａ，４２ａ）は、所定の方向（四方）へ所定間隔離間対向して並んでいる。上面板１６に印刷されたオフセットチェンジング模様２５ｅを画成するそれら短線４１，４２（直線４１ａ，４２ａ）は、その線太さＬ２，Ｌ３や最大高さＬ４が同一であり、その離間寸法Ｌ２，Ｌ３が異なる。
【０１０１】
オフセットチェンジング模様２５ｅの模様を画成する短線４１，４２（直線４１ａ，４２ａ）の長さ寸法Ｌ１の範囲（０．１〜２０ｍｍの範囲、好ましくは、０．５〜１０ｍｍの範囲）、それら短線４１，４２（直線４１ａ，４２ａ）の線太さＬ２，Ｌ３の範囲（５〜１５０μｍの範囲、好ましくは、１０〜１００μｍの範囲）、それら短線４１，４２（直線４１ａ，４２ａ）の離間寸法Ｌ２，Ｌ３の範囲（３０〜２００μｍの範囲、好ましくは、５０〜１００μｍの範囲）、それら短線４２（直線４２ａ）の最大高さＬ４の範囲（５〜１００μｍの範囲、好ましくは、５０〜１００のμｍの範囲）は、既述のとおりである。オフセットチェンジング模様２５ｅを画成するそれら短線４１，４２（直線４１ａ，４２ａ）の長さ寸法Ｌ１や線太さＬ２，Ｌ３、離間寸法Ｌ２，Ｌ３、最大高さＬ４が前記範囲にあるから、それら極細の短線４１，４２（直線４１ａ，４２ａ）の短線集合によって画成されて箱１０の上面板１６に印刷されたオフセットチェンジング模様２５ｅの模様を高精細及び繊細で綺麗に表現することができる。
【０１０２】
なお、オフセットチェンジング模様２５ｅを画成する短線４１，４２（直線４１ａ，４２ａ）の長さ寸法Ｌ１が所定の方向へ向かうにつれて次第に増加していてもよく、それら短線４１，４２（直線４１ａ，４２ａ）の長さ寸法Ｌ１が所定の方向へ向かうにつれて次第に減少していてもよい。また、それら短線４１，４２（直線４１ａ，４２ａ）の長さ寸法Ｌ１が所定の方向へ向かうにつれて次第に増加した後に次第に減少してもよく、それら短線４１，４２（直線４１ａ，４２ａ）の長さ寸法Ｌ１が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、その長さ寸法Ｌ１が所定の方向の一方へ向かうにつれて次第に減少しつつその長さ寸法Ｌ１が所定の方向の他方へ向かうにつれて次第に減少していてもよく、それら短線４１，４２（直線４１ａ，４２ａ）の長さ寸法Ｌ１が所定の方向へ向かって増加と減少とを繰り返してもよい。
【０１０３】
上面板１６に印刷されたそれらオフセットチェンジング模様２５ｅは、オフセットチェンジング模様２５ｅを画成するそれら短線４２（直線４２ａ）が異なる方向へ光を反射することで、オフセットチェンジング模様２５ｅが見る角度によって見え方が変化するチェンジング効果を有する。上面板１６に印刷されたオフセットチェンジング模様２５ｅは、短線４１，４２（直線４１ａ，４２ａ）の長さ寸法Ｌ１の変化（増加や減少）や短線４１，４２（直線４１ａ，４２ａ）どうしの離間寸法Ｌ２，Ｌ３の変化（増加や減少）とともに、図２１に示す短線４１，４２（直線４１ａ，４２ａ）の線太さＬ２，Ｌ３の変化（増加や減少）と図２３に示す短線４２（直線４２ａ）の最大高さＬ４の変化（増加や減少）とのうちの少なくとも１つの変化（増加や減少）をともなってもよい。
【０１０４】
サック箱１０（箱）は、極細の複数の短線４１，４２（直線４１ａ，４２ａ、曲線４１ｂ，４２ｂ）の短線集合によって画成された同一の態様（模様）のオフセットチェンジング模様２５や極細の複数の短線４１，４２（直線４１ａ，４２ａ、曲線４１ｂ，４２ｂ）の短線集合によって画成された異なる態様（模様）のオフセットチェンジング模様２５が所定の方向へ並び、複数のオフセットチェンジング模様２５（２５ａ〜２５ｅ）が印刷面２７に表現され、それらオフセットチェンジング模様２５（２５ａ〜２５ｅ）の模様が見る角度によって見え方が変化するチェンジング効果を有するとともに、チェンジング効果を有するオフセットチェンジング模様２５（２５ａ〜２５ｅ）をカラーで表現することで、箱１０が商品陳列棚や商品陳列ケース等に陳列された場合、箱１０を見る者に好印象を与えることができ、箱１０を見る者を強く引き付けることができる。
【０１０５】
サック箱１０（箱）は、その印刷面２７にチェンジング効果を有する複数のオフセットチェンジング模様２５（２５ａ〜２５ｅ）が印刷されることで、印刷面２７を目立たせることができ、箱１０に収容された商品の購買意欲を掻き立てることができる。サック箱１０（箱）は、チェンジング効果を有する同一又は異なる態様の複数のオフセットチェンジング模様２５（２５ａ〜２５ｅ）とともにオフセット印刷によって印刷されたオフセット印刷図画２４を備え、それらオフセットチェンジング模様２５（２５ａ〜２５ｅ）のチェンジング効果による目の錯覚を利用してオフセット印刷図画２４を際立たせることができ、箱１０を見る者にオフセット印刷図画２４を鮮明かつ明確に認識させることができるとともに、箱１０を見る者にオフセット印刷図画２４が示す商品名や会社名等を強く印象付けることができる。
【０１０６】
サック箱１０（箱）は、箱用ブランク２６の印刷面２７にコールドフォイル印刷によって箔４５が印刷された場合、チェンジング効果を有するオフセットチェンジング模様２５（２５ａ〜２５ｅ）において様々な色の金箔表現を行うことができるとともに、オフセットチェンジング模様２５（２５ａ〜２５ｅ）において色や濃淡を連続した階調で表現したグラデーション表現を行うことができる。また、チェンジング効果を有するオフセットチェンジング模様２５（２５ａ〜２５ｅ）において金箔表現やグラデーション表現を行うことができるから、印刷面２７の見端がよく、印刷面２７を目立たせることができ、箱１０を見る者に好印象を与え、箱１０を見る者を強く引き付けることができるとともに、箱１０に収容された商品の購買意欲を掻き立てることができる。
【０１０７】
図１７は、オフセット印刷図画２４及びオフセットチェンジング模様２５ｆ（オフセットチェンジング図画）が印刷されたラベル４６の一例を示す図であり、図１８は、ラベル４６に印刷された図１７のオフセットチェンジング模様２５ｆの部分拡大図である。ラベル４６（シール）は、粘着面４７及び印刷面４８を有し、粘着面４７を介して所定の箇所に貼付される。図示のラベル４６は、その平面形状が楕円形に成形されているが、ラベル４６の平面形状に特に限定はなく、ラベル４６の平面形状をその用途に応じてあらゆる形状に成形することができる。
【０１０８】
ラベル４６の主な用途としては、飲料・食料・酒類・薬等のカップやビンに貼付し、商品の宣伝として使用、製品のパッケージ（箱）に貼付してＰＯＰとして使用、陳列棚やディスプレイに貼付してＰＯＰとして使用、商品表示用、商品銘柄表示用等がある。ラベル４６には、紙系ラベル、合成紙系ラベル、フィルム系ラベルが使用される。紙系ラベルには、上質紙やコート紙、ミラーコートが使用される。合成紙系ラベルには、ポリプロピレン樹脂を主原料とする合成紙やオフセット印刷が可能な合成紙が使用される。フィルム系ラベルには、ＰＥＴフィルムやポリミイドフィルム、ポチエステルアルミ蒸着フィルムが使用される。ラベル４２の印刷面４８は光沢性（金色や無色銀色、有色銀色）又は半光沢性（金色や無色銀色、有色銀色）を有することが好ましい。
【０１０９】
オフセット印刷図画２４は、ラベル４６の印刷面４８に印刷され、その周囲がオフセットチェンジング模様２５ｆに囲まれ、オフセットチェンジング模様２５ｆに囲繞されている。ラベル４６の印刷面４８に印刷されたオフセットチェンジング模様２５ｆの印刷面積全域を１００％としたときのラベル４６の印刷面４８に印刷されたオフセット印刷図画２４の印刷面積の割合は、５〜２０％の範囲にある。ラベル４６の印刷面４８に印刷されたオフセット印刷図画２４の印刷面積の割合が５％未満では、オフセット印刷図画２４の印刷面積が少なく、オフセット印刷図画２４を明瞭に表現することができない。ラベル４６の印刷面４８に印刷されたオフセット印刷図画２４の印刷面積の割合が２０％を超過すると、オフセットチェンジング模様２５ｆの印刷面積に対するオフセット印刷図画２４の印刷面積が大きく、オフセットチェンジング模様２５ｆの中にオフセット印刷図画２４を鮮明に浮き上がらせることができず、オフセット印刷図画２４を明瞭に表現することができない。オフセット印刷図画２４の印刷面積の割合が前記範囲にあるから、オフセットチェンジング模様２５ｆを利用してオフセットチェンジング模様２５ｆの中にオフセット印刷図画２４を鮮明に浮き上がらせることができ、オフセット印刷図画２４を明瞭に表現することができる。なお、ラベル４６では、その印刷面４８にオフセットチェンジング模様２５ｆのみが印刷され、オフセット印刷図画２４が印刷されていなくてもよい。
【０１１０】
ラベル４６の略全域の印刷面４８には、所定の方向へ並ぶ異なる態様（模様）の複数のオフセットチェンジング模様２５ｆ（オフセットチェンジング図画）が印刷されている。ラベル４６の印刷面４８に印刷されたオフセットチェンジング模様２５の態様（模様）に特に限定はなく、あらゆる態様（方形・三角形・菱形・多角形・円形等の模様、方形・三角形・菱形・多角形・円形等を組み合せた模様）のオフセットチェンジング模様２５をラベル４６の印刷面４８に印刷することができる。それらオフセットチェンジング模様２５ｆは、任意の方向に延びるとともに所定の方向（任意の方向と交差する方向）へ等間隔離間対向（所定間隔離間対向）して並ぶ極細の複数のオーバープリントニス短線４１の第１短線集合と、任意の方向へ延びるとともに所定の方向（任意の方向と交差する方向）へ等間隔離間対向（所定間隔離間対向）して並ぶ極細の複数のＵＶ光沢ニス短線４２の第２短線集合とから形成（画成）されている。
【０１１１】
ラベル４６の印刷面４７に印刷されたそれらオフセットチェンジング模様２５ｆを画成するそれら短線４１，４２は、図１８に示すように、仮想基準線Ｘに対して所定の角度で傾斜する曲線４１ｂ，４２ｂであり、それら短線４１，４２（曲線４１ｂ，４２ｂ）が交差せずに互いに並行（平行）して延びている。それら短線４１，４２（曲線４１ｂ，４２ｂ）は、所定の方向へ等間隔離間対向（所定間隔離間対向）して並んでいる。それら短線４１，４２（曲線４１ｂ，４２ｂ）は、その長さ寸法Ｌ１が所定の方向へ向かうにつれて次第に減少している。オフセットチェンジング模様２５ｆを画成するそれら短線４１，４２（曲線４１ｂ，４２ｂ）は、その線太さＬ２，Ｌ３や離間寸法Ｌ２，Ｌ３、最大高さＬ４が同一である。
【０１１２】
オフセットチェンジング模様２５ｆを画成する短線４１，４２（曲線４１ｂ，４２ｂ）の長さ寸法Ｌ１の範囲（０．１〜２０ｍｍの範囲、好ましくは、０．５〜１０ｍｍの範囲）、それら短線４１，４２（曲線４１ｂ，４２ｂ）の線太さＬ２，Ｌ３の範囲（５〜１５０μｍの範囲、好ましくは、１０〜１００μｍの範囲）、それら短線４１，４２（曲線４１ｂ，４２ｂ）どうしの離間寸法Ｌ２，Ｌ３の範囲（３０〜２００μｍの範囲、好ましくは、５０〜１００μｍの範囲）、それら短線４２（曲線４２ｂ）の最大高さＬ４の範囲（５〜１００μｍの範囲、好ましくは、５０〜１００のμｍの範囲）は、サック箱１０の短線４１，４２（曲線４１ｂ，４２ｂ）のそれらと同一である。
【０１１３】
ラベル４６の印刷面４８に印刷されたオフセットチェンジング模様２５ｆの模様を画成するそれら短線４１，４２（曲線４１ｂ，４２ｂ）の長さ寸法Ｌ１や線太さＬ２，Ｌ３、離間寸法Ｌ２，Ｌ３、最大高さＬ４が前記範囲にあるから、それら極細の短線４１，４２（曲線４１ｂ，４２ｂ）の短線集合によって画成されてラベル４６の印刷面４７に印刷されたオフセットチェンジング模様２５ｆを高精細及び繊細で綺麗に表現することができるとともに、高精細及び繊細で綺麗に表現されたオフセットチェンジング模様２５ｆでオフセット印刷図画２４を囲繞することで、オフセットチェンジング模様２５ｆの中にオフセット印刷図画２４を鮮明に浮き上がらせることができ、オフセット印刷図画２４を明瞭に表現することができる。
【０１１４】
なお、オフセットチェンジング模様２５ｆを画成する短線４１，４２（曲線４１ｂ，４２ｂ）の長さ寸法Ｌ１が所定の方向へ向かうにつれて次第に増加していてもよい。また、それら短線４１，４２（曲線４１ｂ，４２ｂ）の長さ寸法Ｌ１が所定の方向へ向かうにつれて次第に増加した後に次第に減少してもよく、それら短線４１，４２（曲線４１ｂ，４２ｂ）の長さ寸法Ｌ１が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、その長さ寸法Ｌ１が所定の方向の一方へ向かうにつれて次第に減少しつつその長さ寸法Ｌ１が所定の方向の他方へ向かうにつれて次第に減少していてもよく、それら短線４１，４２（曲線４１ｂ，４２ｂ）の長さ寸法Ｌ１が所定の方向へ向かって増加と減少とを繰り返してもよい。
【０１１５】
ラベル４６の印刷面４８に印刷されたそれらオフセットチェンジング模様２５ｆは、オフセットチェンジング模様２５ｆを画成するそれら短線４２（曲線４２ｂ）が異なる方向へ光を反射することで、オフセットチェンジング模様２５ｆが見る角度によって見え方が変化するチェンジング効果を有する。ラベル４６の印刷面４８に印刷されたオフセットチェンジング模様２５ｆは、短線４１，４２（曲線４１ｂ，４２ｂ）の長さ寸法Ｌ１の変化（増加や減少）とともに、図２１に示す短線４１，４２（曲線４１ｂ，４２ｂ）の線太さＬ２，Ｌ３の変化（増加や減少）と図２２に示す短線４１，４２（曲線４１ｂ，４２ｂ）どうしの離間寸法Ｌ２，Ｌ３の変化（増加や減少）と図２３に示す短線４２（曲線４２ｂ）の最大高さＬ４の変化（増加や減少）とのうちの少なくとも１つの変化（増加や減少）をともなってもよい。
【０１１６】
ラベル４６は、極細の複数の短線４１，４２（曲線４１ｂ，４２ｂ）の短線集合によって画成された異なる態様（模様）（又は同一の態様（模様））のオフセットチェンジング模様２５ｆが所定の方向へ並び、複数のオフセットチェンジング模様２５ｆがその印刷面４８に表現され、それらオフセットチェンジング模様２５ｆが見る角度によって見え方が変化するチェンジング効果を有するとともに、チェンジング効果を有するオフセットチェンジング模様２５ｆの模様をカラーで表現することで、ラベル４６がカップやビン、パッケージ（箱）、陳列棚、ディスプレイに貼付された場合、ラベル４６を見る者に好印象を与えることができ、ラベル４６を見る者を強く引き付けることができる。
【０１１７】
ラベル４６は、その印刷面４８にチェンジング効果を有する複数のオフセットチェンジング模様２５ｆが印刷されることで、印刷面４８を目立たせることができ、ラベル４６が示す商品の購買意欲を掻き立てることができる。ラベル４６は、チェンジング効果を有する異なる態様（模様）（又は同一の態様（模様））の複数のオフセットチェンジング模様２５ｆとともにオフセット印刷によって印刷されたオフセット印刷図画２４を備え、それらオフセットチェンジング模様２５ｆのチェンジング効果による目の錯覚を利用してオフセット印刷図画２４を際立たせることができ、ラベル４６を見る者にオフセット印刷図画２４を鮮明かつ明確に認識させることができるとともに、ラベル４６を見る者にオフセット印刷図画２４が示す商品名や会社名等を強く印象付けることができる。
【０１１８】
ラベル４６は、その印刷面４８にコールドフォイル印刷によって箔４５が印刷された場合、チェンジング効果を有するオフセットチェンジング模様２５ｆにおいて様々な色の金箔表現を行うことができるとともに、オフセットチェンジング模様２５ｆにおいて色や濃淡を連続した階調で表現したグラデーション表現を行うことができる。また、チェンジング効果を有するオフセットチェンジング模様２５ｆにおいて金箔表現やグラデーション表現を行うことができるから、印刷面４８の見端がよく、印刷面４８を目立たせることができ、ラベル４６を見る者に好印象を与え、ラベル４６を見る者を強く引き付けることができるとともに、ラベル４６が示す商品の購買意欲を掻き立てることができる。
【０１１９】
図１９は、オフセット印刷図画２４及びオフセットチェンジング模様２５ｇ（オフセットチェンジング図画）が印刷された台紙４９の一例を示す図であり、図２０は、台紙４９に印刷された図１９のオフセットチェンジング模様２５ｇの部分拡大図である。台紙４９は、ブリスターやシュリンクフィルム、クリアーケース等の包材に利用され、包材の一部として使用される。図示の台紙４９は、その平面形状が方形に成形されているが、台紙４９の平面形状に特に限定はなく、台紙４９の平面形状をその用途に応じてあらゆる形状に成形することができる。台紙４９の材質は、既述の箱１０のそれと同一である。台紙４９には、各種表面加工（プレスコートやＵＶコート、フィルムコート）が施される場合がある。台紙４９の印刷面４８（台紙４９の片面又は両面）は光沢性（金色や無色銀色、有色銀色）又は半光沢性（金色や無色銀色、有色銀色）を有することが好ましい。なお、台紙４９の材質に特に限定はなく、台紙４９の材質には現在使用されているもののみならず、将来使用されるあらゆる材質が含まれる。
【０１２０】
オフセット印刷図画２４は、台紙４９の印刷面４８に印刷され、その周囲がオフセットチェンジング模様２５ｇに囲まれ、オフセットチェンジング模様２５ｇに囲繞されている。台紙４９の印刷面４８に印刷されたオフセットチェンジング模様２５ｇの印刷面積全域を１００％としたときの台紙４９の印刷面４８に印刷されたオフセット印刷図画２４の印刷面積の割合は、５〜２０％の範囲にある。台紙４９の印刷面４８に印刷されたオフセット印刷図画２４の印刷面積の割合が５％未満では、オフセット印刷図画２４の印刷面積が少なく、オフセット印刷図画２４を明瞭に表現することができない。台紙４９の印刷面４８に印刷されたオフセット印刷図画２４の印刷面積の割合が２０％を超過すると、オフセットチェンジング模様２５ｇの印刷面積に対するオフセット印刷図画２４の印刷面積が大きく、オフセットチェンジング模様２５ｇの中にオフセット印刷図画２４を鮮明に浮き上がらせることができず、オフセット印刷図画２４を明瞭に表現することができない。オフセット印刷図画２４の印刷面積の割合が前記範囲にあるから、オフセットチェンジング模様２５ｇを利用してオフセットチェンジング模様２５ｇの中にオフセット印刷図画２４を鮮明に浮き上がらせることができ、オフセット印刷図画２４を明瞭に表現することができる。なお、台紙４９では、その印刷面４８にオフセットチェンジング模様２５ｇのみが印刷され、オフセット印刷図画２４が印刷されていなくてもよい。
【０１２１】
台紙４９の略全域の印刷面４８には、所定の方向（任意の方向と交差する方向）へ並ぶ異なる態様（模様）の複数のオフセットチェンジング模様２５ｇが印刷されている。台紙４９の印刷面４８に印刷されたオフセットチェンジング模様２５ｇの態様（模様）に特に限定はなく、あらゆる態様（方形・三角形・菱形・多角形・円形等の模様、方形・三角形・菱形・多角形・円形等を組み合せた模様）のオフセットチェンジング模様２５ｇを台紙４９の印刷面４８に印刷することができる。それらオフセットチェンジング模様２５ｇは、任意の方向に延びるとともに所定の方向（任意の方向と交差する方向）へ等間隔離間対向（所定間隔離間対向）して並ぶ極細の複数のオーバープリントニス短線４１の第１短線集合と、任意の方向へ延びるとともに所定の方向（任意の方向と交差する方向）へ等間隔離間対向（所定間隔離間対向）して並ぶ極細の複数のＵＶ光沢ニス短線４２の第２短線集合とから形成（画成）されている。
【０１２２】
台紙４９の印刷面４８（片面又は両面）に印刷されたそれらオフセットチェンジング模様２５ｇを画成するそれら短線４１，４２は、図１９に示すように、仮想基準線Ｘに対して所定の角度で傾斜する曲線４１ｂ，４２ｂであり、それら短線４１，４２（曲線４１ｂ，４２ｂ）が交差せずに互いに並行（平行）して延びている。それら短線４１，４２（曲線４１ｂ，４２ｂ）は、所定の方向へ等間隔離間対向（所定間隔離間対向）して並んでいる。それら短線４１，４２（曲線４１ｂ，４２ｂ）は、その長さ寸法Ｌ１が所定の方向の一方へ向かうにつれて次第に減少しつつその長さ寸法Ｌ１が所定の方向の他方へ向かうにつれて次第に減少している。台紙４９の印刷面４８に印刷されたオフセットチェンジング模様２５ｇを画成するそれら短線４１，４２（曲線４１ｂ，４２ｂ）は、その線太さＬ２，Ｌ３や離間寸法Ｌ２，Ｌ３、最大高さＬ４が同一である。
【０１２３】
オフセットチェンジング模様２５ｇを画成する短線４１，４２（曲線４１ｂ，４２ｂ）の長さ寸法Ｌ１の範囲（０．１〜２０ｍｍの範囲、好ましくは、０．５〜１０ｍｍの範囲）、それら短線４１，４２（曲線４１ｂ，４２ｂ）の線太さＬ２，Ｌ３の範囲（５〜１５０μｍの範囲、好ましくは、１０〜１００μｍの範囲）、それら短線４１，４２（曲線４１ｂ，４２ｂ）の離間寸法Ｌ２，Ｌ３の範囲（３０〜２００μｍの範囲、好ましくは、５０〜１００μｍの範囲）、それら短線４２（曲線４２ｂ）の最大高さＬ４の範囲（５〜１００μｍの範囲、好ましくは、５０〜１００のμｍの範囲）は、サック箱１０の短線４１，４２（曲線４１ｂ，４２ｂ）のそれらと同一である。
【０１２４】
台紙４９の印刷面４８に印刷されたオフセットチェンジング模様２５ｇを画成するそれら短線４１，４２（曲線４１ｂ，４２ｂ）の長さ寸法Ｌ１や線太さＬ２，Ｌ３、離間寸法Ｌ２，Ｌ３、最大高さＬ４が前記範囲にあるから、それら極細の短線４１，４２（曲線４１ｂ，４２ｂ）の短線集合によって画成されて台紙４９の印刷面４８に印刷されたオフセットチェンジング模様２５ｇを高精細及び繊細で綺麗に表現することができるとともに、高精細及び繊細で綺麗に表現されたオフセットチェンジング模様２５ｇでオフセット印刷図画２４を囲繞することで、オフセットチェンジング模様２５ｇの中にオフセット印刷図画２４を鮮明に浮き上がらせることができ、オフセット印刷図画２４を明瞭に表現することができる。
【０１２５】
なお、オフセットチェンジング模様２５ｇを画成するそれら短線４１，４２（曲線４１ｂ，４２ｂ）の長さ寸法Ｌ１が所定の方向へ向かうにつれて次第に増加していてもよく、それら短線４１，４２（曲線４１ｂ，４２ｂ）の長さ寸法Ｌ１が所定の方向へ向かうにつれて次第に減少していてもよい。また、それら短線４１，４２（曲線４１ｂ，４２ｂ）の長さ寸法Ｌ１が所定の方向へ向かうにつれて次第に増加した後に次第に減少してもよく、それら短線４１，４２（曲線４１ｂ，４２ｂ）の長さ寸法Ｌ１が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、それら短線４１，４２（曲線４１ｂ，４２ｂ）の長さ寸法Ｌ１が所定の方向へ向かって増加と減少とを繰り返してもよい。
【０１２６】
台紙４９の印刷面４８に印刷されたそれらオフセットチェンジング模様２５ｇは、オフセットチェンジング模様２５ｇを画成するそれら短線４２（曲線４２ｂ）が異なる方向へ光を反射することで、オフセットチェンジング模様２５ｇが見る角度によって見え方が変化するチェンジング効果を有する。台紙４９の印刷面４８に印刷されたオフセットチェンジング模様２５ｇは、短線４１，４２（曲線４１ｂ，４２ｂ）の長さ寸法Ｌ１の変化（増加や減少）とともに、図２１に示す短線４１，４２（曲線４１ｂ，４２ｂ）の線太さＬ２，Ｌ３の変化（増加や減少）と図２２に示す短線４１，４２（曲線４１ｂ，４２ｂ）どうしの離間寸法Ｌ２，Ｌ３の変化（増加や減少）と図２３に示す短線４２（曲線４２ｂ）の最大高さＬ４の変化（増加や減少）とのうちの少なくとも１つの変化（増加や減少）をともなってもよい。
【０１２７】
台紙４９は、極細の複数の短線４１，４２（曲線４１ｂ，４２ｂ）の短線集合によって画成された異なる態様（模様）（又は同一の態様（模様））のオフセットチェンジング模様２５ｇが所定の方向へ並び、複数のオフセットチェンジング模様２５ｇが印刷面４８に表現され、それらオフセットチェンジング模様２５ｇが見る角度によって見え方が変化するチェンジング効果を有するとともに、チェンジング効果を有するオフセットチェンジング模様２５ｇをカラーで表現することで、台紙４９がブリスターやシュリンクフィルム、クリアーケース等の包材に利用され、包材の一部として使用された場合、台紙４９を見る者に好印象を与えることができ、台紙４９を見る者を強く引き付けることができる。
【０１２８】
台紙４９は、その印刷面４７にチェンジング効果を有する複数のオフセットチェンジング模様２５ｇが印刷されることで、印刷面４８を目立たせることができ、台紙４９が示す商品の購買意欲を掻き立てることができる。台紙４９は、チェンジング効果を有する異なる態様（模様）（又は同一の態様（模様））の複数のオフセットチェンジング模様２５ｇとともにオフセット印刷によって印刷されたオフセット印刷図画２４を備え、それらオフセットチェンジング模様２５ｇのチェンジング効果による目の錯覚を利用してオフセット印刷図画２４を際立たせることができ、台紙４９を見る者にオフセット印刷図画２４を鮮明かつ明確に認識させることができるとともに、台紙４９を見る者にオフセット印刷図画２４が示す商品名や会社名等を強く印象付けることができる。
【０１２９】
台紙４９は、その印刷面４８にコールドフォイル印刷によって箔４５が印刷された場合、チェンジング効果を有するオフセットチェンジング模様２５ｇにおいて様々な色の金箔表現を行うことができるとともに、オフセットチェンジング模様２５ｇにおいて色や濃淡を連続した階調で表現したグラデーション表現を行うことができる。また、チェンジング効果を有するオフセットチェンジング模様２５ｇにおいて金箔表現やグラデーション表現を行うことができるから、印刷面４８の見端がよく、印刷面４８を目立たせることができ、台紙４９を見る者に好印象を与え、台紙４９を見る者を強く引き付けることができるとともに、台紙４９が示す商品の購買意欲を掻き立てることができる。
【０１３０】
図２１は、他の一例として示すオフセットチェンジング模様２５ｈの部分拡大図である。図２１に示すオフセットチェンジング模様２５ｈ（オフセットチェンジング図画）は、オフセット印刷図画とともに箱１０の正面板１１や背面板１２、第１及び第２側面板１３，１４、上面板１６に印刷され、又は、オフセット印刷図画とともにラベル４６や台紙４９の印刷面４８に印刷される。オフセット印刷図画は、箱１０やラベル４６、台紙４９の印刷面４８に印刷され、その周囲がオフセットチェンジング模様２５ｈに囲まれ、オフセットチェンジング模様２５ｈに囲繞される。なお、正面板１１や背面板１２、第１及び第２側面板１３，１４、上面板１６、ラベル４６、台紙４９にオフセットチェンジング模様２５ｈのみが印刷され、オフセット印刷図画が印刷されていなくてもよい。
【０１３１】
オフセットチェンジング模様２６ｈは、それを画成する短線４１，４２（曲線４１ｂ，４２ｂ（又は直線４１ａ，４２ａ））の線太さＬ２，Ｌ３が所定の方向であって一方へ向かうにつれて次第に増加した後、短線４１，４２（曲線４１ｂ，４２ｂ（又は直線４１ａ，４２ａ））の線太さＬ２，Ｌ３が一方へ向かうにつれて次第に減少している。短線４１，４２（曲線４１ｂ，４２ｂ（又は直線４１ａ，４２ａ））の太さＬ２，Ｌ３は、５〜１５０μｍの範囲、好ましくは、１０〜１００μｍの範囲にある。
【０１３２】
オフセットチェンジング模様２５ｈを画成するそれら短線４１，４２（曲線４１ｂ，４２ｂ（又は直線４１ａ，４２ａ））は、長さ寸法が異なり、離間寸法Ｌ２，Ｌ３及び最大高さＬ４が同一である。それら短線４１，４２（曲線４１ｂ，４２ｂ（又は直線４１ａ，４２ａ））の長さ寸法Ｌ１の範囲（０．１〜２０ｍｍの範囲、好ましくは、０．５〜１０ｍｍの範囲）、それら短線４１，４２（曲線４１ｂ，４２ｂ（又は直線４１ａ，４２ａ））の離間寸法Ｌ２，Ｌ３の範囲（３０〜２００μｍの範囲、好ましくは、５０〜１００μｍの範囲）、それら短線４２（曲線４２ｂ（又は直線４２ａ））の最大高さＬ４の範囲（５〜１００μｍの範囲、好ましくは、５０〜１００のμｍの範囲）は、既述のとおりである。図２１に示すオフセットチェンジング模様２５ｈは、オフセットチェンジング模様２５ｈを画成するそれら短線４２（曲線４２ｂ（又は直線４２ａ））が異なる方向へ光を反射することで、オフセットチェンジング模様２５ｈが見る角度によって見え方が変化する優れたチェンジング効果を有する。
【０１３３】
図２１に示すオフセットチェンジング模様２５ｈを画成するそれら短線４１，４２（曲線４１ｂ，４２ｂ（又は直線４１ａ，４２ａ））の長さ寸法Ｌ１や線太さＬ２，Ｌ３、離間寸法Ｌ２，Ｌ３、最大高さＬ４が前記範囲にあり、短線４１，４２（曲線４１ｂ，４２ｂ（又は直線４１ａ，４２ａ））の線太さＬ２，Ｌ３が所定の方向であって一方へ向かうにつれて次第に増加又は減少するから、それら極細の短線４１，４２（曲線４１ｂ，４２ｂ（又は直線４１ａ，４２ａ））の短線集合によって画成されたオフセットチェンジング模様２５ｈを高精細及び繊細で綺麗に表現することができるとともに、オフセットチェンジング模様２５ｈの中にオフセット印刷図画が印刷された場合、高精細及び繊細で綺麗に表現されたオフセットチェンジング模様２５ｈでオフセット印刷図画を囲繞することで、オフセットチェンジング模様２５ｈの中にオフセット印刷図画を鮮明に浮き上がらせることができ、オフセット印刷図画を明瞭に表現することができる。
【０１３４】
なお、オフセットチェンジング模様２５ｈを画成する短線４１，４２（曲線４１ｂ，４２ｂ（又は直線４１ａ，４２ａ））の線太さＬ２，Ｌ３が所定の方向へ向かって次第に増加し、又は、次第に減少してもよく、短線４１，４２（曲線４１ｂ，４２ｂ（又は直線４１ａ，４２ａ））の線太さＬ２，Ｌ３が所定の方向へ向かって増加と減少とを繰り返してもよい。また、オフセットチェンジング模様２５ｈは、短線４１，４２（曲線４１ｂ，４２ｂ（又は直線４１ａ，４２ａ））の線太さＬ２，Ｌ３の変化（増加や減少）とともに、短線４１，４２（曲線４１ｂ，４２ｂ（又は直線４１ａ，４２ａ））の長さ寸法Ｌ１の変化（増加や減少）と図２２に示す短線４１，４２（曲線４１ｂ，４２ｂ（又は直線４１ａ，４２ａ））どうしの離間寸法Ｌ２，Ｌ３の変化（増加や減少）と図２３に示す短線４２（曲線４２ｂ（又は直線４２ａ））の最大高さＬ４の変化（増加や減少）とのうちの少なくとも１つの変化（増加や減少）をともなってもよい。
【０１３５】
図２１のオフセットチェンジング模様２５ｈが印刷された箱１０やラベル４６、台紙４９は、それら短線４１，４２（曲線４１ｂ，４２ｂ（又は直線４１ａ，４２ａ））の線太さＬ２，Ｌ３を所定の方向へ向かうにつれて次第に増加させ又は次第に減少させることで、それら極細の短線４１，４２（曲線４１ｂ，４２ｂ（又は直線４１ａ，４２ａ））の短線集合によって画成されたオフセットチェンジング模様２５ｈが高精細及び繊細で綺麗かつ斬新に表現され、それら短線４１，４２（曲線４１ｂ，４２ｂ（又は直線４１ａ，４２ａ））の短線集合によって画成されたオフセットチェンジング模様２５ｈが優れたチェンジング効果を発現し、箱１０やラベル４６、台紙４９を見る者に好印象を与えることができ、箱１０やラベル４６、台紙４９を見る者を確実に引き付けることができる。
【０１３６】
図２１のオフセットチェンジング模様２５ｈが印刷された箱１０やラベル４６、台紙４９は、短線４１，４２（曲線４１ｂ，４２ｂ（又は直線４１ａ，４２ａ））の線太さＬ２，Ｌ３を次第に増加させ又は次第に減少させることによって優れたチェンジング効果を発現するオフセットチェンジング模様２５ｈがその印刷面２７，４８に印刷されることで、印刷面２７，４８を目立たせることができ、箱１０に収容された商品やラベル４６が示す商品、台紙４９が示す商品の購買意欲を掻き立てることができる。図２１のオフセットチェンジング模様２５ｈが印刷された箱１０やラベル４６、台紙４９は、オフセットチェンジング模様２５ｈの優れたチェンジング効果による目の錯覚を利用してオフセット印刷図画を際立たせることができ、箱１０やラベル４６、台紙４９を見る者にオフセット印刷図画を鮮明かつ明確に認識させることができるとともに、箱１０やラベル４６、台紙４９を見る者にオフセット印刷図画が示す商品名や会社名等を強く印象付けることができる。
【０１３７】
箱１０やラベル４６、台紙４９の印刷面２７，４８にコールドフォイル印刷によって箔４５が印刷された場合、チェンジング効果を有するオフセットチェンジング模様２５ｈにおいて様々な色の金箔表現を行うことができるとともに、オフセットチェンジング模様２５ｈにおいて色や濃淡を連続した階調で表現したグラデーション表現を行うことができる。また、チェンジング効果を有するオフセットチェンジング模様２５ｈにおいて金箔表現やグラデーション表現を行うことができるから、印刷面２７，４８の見端がよく、印刷面２７，４８を目立たせることができ、箱１０やラベル４６、台紙４９を見る者に好印象を与え、箱１０やラベル４６、台紙４９を見る者を強く引き付けることができるとともに、箱１０に収容された商品やラベル４６が示す商品、台紙４９が示す商品の購買意欲を掻き立てることができる。
【０１３８】
図２２は、他の一例として示すオフセットチェンジング模様２５ｉの部分拡大図である。図２２に示すオフセットチェンジング模様２５ｉ（オフセットチェンジング図画）は、オフセット印刷図画とともに箱１０の正面板１１や背面板１２、第１及び第２側面板１３，１４、上面板１６に印刷され、又は、オフセット印刷図画とともにラベル４６や台紙４９の印刷面４８に印刷される。オフセット印刷図画は、箱１０やラベル４６、台紙４９の印刷面２７，４８に印刷され、その周囲がオフセットチェンジング模様２５ｉに囲まれ、オフセットチェンジング模様２５ｉに囲繞される。なお、正面板１１や背面板１２、第１及び第２側面板１３，１４、上面板１６、ラベル４６、台紙４９にオフセットチェンジング模様２５ｉのみが印刷され、オフセット印刷図画が印刷されていなくてもよい。
【０１３９】
オフセットチェンジング模様２５ｉは、それを画成する短線４１，４２（曲線４１ｂ，４２ｂ（又は直線４１ａ，４２ａ））どうしの離間寸法Ｌ２，Ｌ３が所定の方向であって一方へ向かうにつれて次第に増加し、短線４１，４２（曲線４１ｂ，４２ｂ（又は直線４１ａ，４２ａ））どうしの離間寸法Ｌ２，Ｌ３が所定の方向であって他方へ向かうにつれて次第に減少している。短線４１，４２（曲線４１ｂ，４２ｂ（又は直線４１ａ，４２ａ））どうしの離間寸法Ｌ２，Ｌ３は、３０〜２００μｍの範囲、好ましくは、５０〜１００μｍの範囲にある。
【０１４０】
オフセットチェンジング模様２６ｉを画成するそれら短線４１，４２（曲線４１ｂ，４２ｂ（又は直線４１ａ，４２ａ））は、長さ寸法Ｌ１が異なり、線太さＬ２，Ｌ３や最大高さＬ４が同一である。それら短線４１，４２（曲線４１ｂ，４２ｂ（又は直線４１ａ，４２ａ））の長さ寸法Ｌ１の範囲（０．１〜２０ｍｍの範囲、好ましくは、０．５〜１０ｍｍの範囲）、それら短線４１，４２（曲線４１ｂ，４２ｂ（又は直線４１ａ，４２ａ））の線太さＬ２，Ｌ３の範囲（５〜１５０μｍの範囲、好ましくは、１０〜１００μｍの範囲）、それら短線４２（曲線４２ｂ（又は直線４２ａ））の最大高さＬ４の範囲（５〜１００μｍの範囲、好ましくは、５０〜１００のμｍの範囲）は、既述のとおりである。図２２に示すオフセットチェンジング模様２５ｉは、オフセットチェンジング模様２５ｉを画成するそれら短線４２（曲線４２ｂ（又は直線４２ａ））が異なる方向へ光を反射することで、オフセットチェンジング模様２５ｉが見る角度によって見え方が変化する優れたチェンジング効果を有する。
【０１４１】
図２２に示すオフセットチェンジング模様２５ｉを画成するそれら短線４１，４２（曲線４１ｂ，４２ｂ（又は直線４１ａ，４２ａ））の長さ寸法Ｌ１や線太さＬ２，Ｌ３、離間寸法Ｌ２，Ｌ３、最大高さＬ４が前記範囲にあり、短線４１，４２（曲線４１ｂ，４２ｂ（又は直線４１ａ，４２ａ））どうしの離間寸法Ｌ２，Ｌ３が所定の方向であって一方へ向かうにつれて次第に増加又は減少するから、それら極細の短線４１，４２（曲線４１ｂ，４２ｂ（又は直線４１ａ，４２ａ））の短線集合によって画成されたオフセットチェンジング模様２５ｉを高精細及び繊細で綺麗に表現することができるとともに、オフセットチェンジング模様２５ｉの中にオフセット印刷図画が印刷された場合、高精細及び繊細で綺麗に表現されたオフセットチェンジング模様２５ｉでオフセット印刷図画を囲繞することで、オフセットチェンジング模様２５ｉの中にオフセット印刷図画を鮮明に浮き上がらせることができ、オフセット印刷図画を明瞭に表現することができる。
【０１４２】
なお、オフセットチェンジング模様２５ｉを画成する短線４１，４２（曲線４１ｂ，４２ｂ（又は直線４１ａ，４２ａ））どうしの離間寸法Ｌ２，Ｌ３が所定の方向へ向かって次第に増加し、又は、次第に減少してもよく、短線４１，４２（曲線４１ｂ，４２ｂ（又は直線４１ａ，４２ａ））どうしの離間寸法Ｌ２，Ｌ３が所定の方向へ向かって増加と減少とを繰り返してもよい。また、オフセットチェンジング模様２５ｉは、短線４１，４２（曲線４１ｂ，４２ｂ（又は直線４１ａ，４２ａ））どうしの離間寸法Ｌ２，Ｌ３の変化（増加や減少）とともに、短線４１，４２（曲線４１ｂ，４２ｂ（又は直線４１ａ，４２ａ））の長さ寸法Ｌ１の変化（増加や減少）と図２１に示す短線４１，４２（曲線４１ｂ，４２ｂ（又は直線４１ａ，４２ａ））の線太さＬ２，Ｌ３の変化（増加や減少）と図２３に示す短線４２（曲線４２ｂ（又は直線４２ａ））の最大高さＬ４の変化（増加や減少）とのうちの少なくとも１つの変化（増加や減少）をともなってもよい。
【０１４３】
図２２のオフセットチェンジング模様２５ｉが印刷された箱１０やラベル４６、台紙４９は、それら短線４１，４２（曲線４１ｂ，４２ｂ（又は直線４１ａ，４２ａ））どうしの離間寸法Ｌ２，Ｌ３を所定の方向へ向かうにつれて次第に増加させ又は次第に減少させることで、それら極細の短線４１，４２（曲線４１ｂ，４２ｂ（又は直線４１ａ，４２ａ））の短線集合によって画成されたオフセットチェンジング模様２５ｉが高精細及び繊細で綺麗かつ斬新に表現され、それら短線４１，４２（曲線４１ｂ，４２ｂ（又は直線４１ａ，４２ａ））の短線集合によって画成されたオフセットチェンジング模様２５ｉが優れたチェンジング効果を発現し、箱１０やラベル４６、台紙４９を見る者に好印象を与えることができ、箱１０やラベル４６、台紙４９を見る者を確実に引き付けることができる。
【０１４４】
図２２のオフセットチェンジング模様２５ｉが印刷された箱１０やラベル４６、台紙４９は、短線４１，４２（曲線４１ｂ，４２ｂ（又は直線４１ａ，４２ａ））どうしの離間寸法Ｌ２，Ｌ３を次第に増加させ又は次第に減少させることによって優れたチェンジング効果を発現するオフセットチェンジング模様２５ｉがその印刷面２７，４８に印刷されることで、印刷面２７，４８を目立たせることができ、箱１０に収容された商品やラベル４６が示す商品、台紙４９が示す商品の購買意欲を掻き立てることができる。図２２のオフセットチェンジング模様２５ｉが印刷された箱１０やラベル４６、台紙４９は、オフセットチェンジング模様２５ｉの優れたチェンジング効果による目の錯覚を利用してオフセット印刷図画を際立たせることができ、箱１０やラベル４６、台紙４９を見る者にオフセット印刷図画を鮮明かつ明確に認識させることができるとともに、箱１０やラベル４６、台紙４９を見る者にオフセット印刷図画が示す商品名や会社名等を強く印象付けることができる。
【０１４５】
箱１０やラベル４６、台紙４９の印刷面２７，４８にコールドフォイル印刷によって箔４５が印刷された場合、チェンジング効果を有するオフセットチェンジング模様２５ｉにおいて様々な色の金箔表現を行うことができるとともに、オフセットチェンジング模様２５ｉにおいて色や濃淡を連続した階調で表現したグラデーション表現を行うことができる。また、チェンジング効果を有するオフセットチェンジング模様２５ｉにおいて金箔表現やグラデーション表現を行うことができるから、印刷面２７，４８の見端がよく、印刷面２７，４８を目立たせることができ、箱１０やラベル４６、台紙４９を見る者に好印象を与え、箱１０やラベル４６、台紙４９を見る者を強く引き付けることができるとともに、箱１０に収容された商品やラベル４６が示す商品、台紙４９が示す商品の購買意欲を掻き立てることができる。
【０１４６】
図２３は、他の一例として示すオフセットチェンジング模様２５ｊの部分拡大図である。図２３に示すオフセットチェンジング模様２５ｊ（オフセットチェンジング図画）は、オフセット印刷図画とともに箱１０も正面板１１や背面板１２、第１及び第２側面板１３，１４、上面板１６に印刷され、又は、オフセット印刷図画とともにラベル４６や台紙４９の印刷面４８に印刷される。オフセット印刷図画は、箱１０やラベル４６、台紙４９の印刷面２７，４７に印刷され、その周囲がオフセットチェンジング模様２５ｊに囲まれ、オフセットチェンジング模様２５ｊに囲繞される。なお、正面板１１や背面板１２、第１及び第２側面板１３，１４、上面板１６、ラベル４６、台紙４９にオフセットチェンジング模様２５ｊのみが印刷され、オフセット印刷図画が印刷されていなくてもよい。
【０１４７】
オフセットチェンジング模様２５ｊは、それを画成する短線４２（曲線４２ｂ（又は直線４２ａ））の最大高さＬ４（盛り量）が所定の方向であって一方へ向かうにつれて次第に増加し、短線４２（直線４２ａ、曲線４２ｂ）の最大高さＬ４が所定の方向であって他方へ向かうにつれて次第に減少している。短線４２（直線４２ａ、曲線４２ｂ）の最大高さＬ４は、５〜１００μｍの範囲、好ましくは、５０〜１００のμｍの範囲にある。
【０１４８】
オフセットチェンジング模様２５ｊを画成するそれら短線４１，４２（曲線４１ｂ，４２ｂ（又は直線４１ａ，４２ａ））は、長さ寸法Ｌ１や線太さＬ２，Ｌ３、離間寸法Ｌ２，Ｌ３が同一である。それら短線４１，４２（曲線４１ｂ，４２ｂ（又は直線４１ａ，４２ａ））の長さ寸法Ｌ１の範囲（０．１〜２０ｍｍの範囲、好ましくは、０．５〜１０ｍｍの範囲）、それら短線４１，４２（曲線４１ｂ，４２ｂ（又は直線４１ａ，４２ａ））の線太さＬ２，Ｌ３の範囲（５〜１５０μｍの範囲、好ましくは、１０〜１００μｍの範囲）、それら短線４１，４２（曲線４１ｂ，４２ｂ（又は直線４１ａ，４２ａ））の離間寸法Ｌ２，Ｌ３の範囲（３０〜２００μｍの範囲、好ましくは、５０〜１００μｍの範囲）は、既述のとおりである。図２３に示すオフセットチェンジング模様２５ｊは、オフセットチェンジング模様２５ｊを画成するそれら短線４２（直線４２ａ、曲線４２ｂ）が異なる方向へ光を反射することで、オフセットチェンジング模様２５ｊが見る角度によって見え方が変化する優れたチェンジング効果を有する。
【０１４９】
図２３に示すオフセットチェンジング模様２５ｊを画成するそれら短線４１，４２（曲線４１ｂ，４２ｂ（又は直線４１ａ，４２ａ））の長さ寸法Ｌ１や線太さＬ２，Ｌ３、離間寸法Ｌ２，Ｌ３、最大高さＬ４が前記範囲にあり、短線４２（直線４２ａ、曲線４２ｂ）の最大高さＬ４が所定の方向へ向かうにつれて次第に増加又は減少するから、それら極細の短線４１，４２（曲線４１ｂ，４２ｂ（又は直線４１ａ，４２ａ））の短線集合によって画成されたオフセットチェンジング模様２５ｊを高精細及び繊細で綺麗に表現することができるとともに、オフセットチェンジング模様２５ｊの中にオフセット印刷図画が印刷された場合、高精細及び繊細で綺麗に表現されたオフセットチェンジング模様２６ｊでオフセット印刷図画を囲繞することで、オフセットチェンジング模様２５ｊの中にオフセット印刷図画を鮮明に浮き上がらせることができ、オフセット印刷図画を明瞭に表現することができる。
【０１５０】
なお、オフセットチェンジング模様２５ｊを画成する短線４２（曲線４２ｂ（又は直線４２ａ））の最大高さＬ４が所定の方向へ向かって次第に増加し、又は、次第に減少してもよく、短線４２（直線４２ａ、曲線４２ｂ）の最大高さＬ４が所定の方向へ向かって増加と減少とを繰り返してもよい。また、オフセットチェンジング模様２５ｊは、短線４２（直線４２ａ、曲線４２ｂ）の最大高さＬ４の変化（増加又は減少）とともに、短線４１，４２（曲線４１ｂ，４２ｂ（又は直線４１ａ，４２ａ））の長さ寸法Ｌ１の変化（増加又は減少）と図２１に示す短線４１，４２（曲線４１ｂ，４２ｂ（又は直線４１ａ，４２ａ））どうしの離間寸法Ｌ２，Ｌ３の変化（増加又は減少）と図２２に示す短線４１，４２（曲線４１ｂ，４２ｂ（又は直線４１ａ，４２ａ））の線太さＬ２，Ｌ３の変化（増加又は減少）とのうちの少なくとも１つの変化（増加又は減少）をともなってもよい。
【０１５１】
図２３のオフセットチェンジング模様２５ｊが印刷された箱１０やラベル４６、台紙４９は、それら短線４２（直線４２ａ、曲線４２ｂ）の最大高さＬ４を所定の方向へ向かうにつれて次第に増加させ又は次第に減少させることで、それら極細の短線４１，４２（曲線４１ｂ，４２ｂ（又は直線４１ａ，４２ａ））の短線集合によって画成されたオフセットチェンジング模様２５ｊが高精細及び繊細で綺麗かつ斬新に表現され、それら短線４１，４２（曲線４１ｂ，４２ｂ（又は直線４１ａ，４２ａ））の短線集合によって画成されたオフセットチェンジング模様２５ｊが優れたチェンジング効果を発現し、箱１０やラベル４６、台紙４９を見る者に好印象を与えることができ、箱１０やラベル４６、台紙４９を見る者を確実に引き付けることができる。
【０１５２】
図２３のオフセットチェンジング模様２５ｊが印刷された箱１０やラベル４６、台紙４９は、短線４２（直線４２ａ、曲線４２ｂ）の最大高さＬ４を次第に増加させ又は次第に減少させることによって優れたチェンジング効果を発現するオフセットチェンジング模様２５ｊがその印刷面２７，４８に印刷されることで、印刷面２７，４８を目立たせることができ、箱１０に収容された商品やラベル４６が示す商品、台紙４９が示す商品の購買意欲を掻き立てることができる。図２３のオフセットチェンジング模様２５ｊが印刷された箱１０やラベル４６、台紙４９は、オフセットチェンジング模様２５ｊの優れたチェンジング効果による目の錯覚を利用してオフセット印刷図画を際立たせることができ、箱１０やラベル４６、台紙４９を見る者にオフセット印刷図画を鮮明かつ明確に認識させることができるとともに、箱１０やラベル４６、台紙４９を見る者にオフセット印刷図画が示す商品名や会社名等を強く印象付けることができる。
【０１５３】
箱１０やラベル４６、台紙４９の印刷面２７，４８にコールドフォイル印刷によって箔４５が印刷された場合、チェンジング効果を有するオフセットチェンジング模様２５ｊにおいて様々な色の金箔表現を行うことができるとともに、オフセットチェンジング模様２５ｊにおいて色や濃淡を連続した階調で表現したグラデーション表現を行うことができる。また、チェンジング効果を有するオフセットチェンジング模様２５ｊにおいて金箔表現やグラデーション表現を行うことができるから、印刷面２７，４８の見端がよく、印刷面２７，４８を目立たせることができ、箱１０やラベル４６、台紙４９を見る者に好印象を与え、箱１０やラベル４６、台紙４９を見る者を強く引き付けることができるとともに、箱１０に収容された商品やラベル４６が示す商品、台紙４９が示す商品の購買意欲を掻き立てることができる。
【符号の説明】
【０１５４】
１０    サック箱（箱）
１１    正面板（正面パネル）
１２    背面板（背面パネル）
１３    第１側面板（第１側面パネル）
１４    第２側面板（第２側面パネル）
１５    連接板（連接パネル）
１６    上面板（上面パネル）
１７    下面板（下面パネル）
１８    第１フラップ
１９    第２フラップ
２０    第３フラップ
２１    第４フラップ
２２    第１差し込みフラップ
２３    第２差し込みフラップ
２４    オフセット印刷図画
２５    オフセットチェンジング模様（オフセットチェンジング図画）
２５ａ〜２５ｊ  オフセットチェンジング模様（オフセットチェンジング図画）
２６    箱用ブランク
２７    印刷面
２８    商品収容スペース
２９    側縁
３０    側縁
３１    側縁
３２    側縁
３３    上端縁
３４    下端縁
３５    上端縁
３６    上端縁
３７    下端縁
３８    下端縁
３９    端縁
４０    端縁
４１    オーバープリントニス短線
４１ａ  直線
４１ｂ  曲線
４２    ＵＶ光沢ニス短線
４２ａ  直線
４２ｂ  曲線
４３    オーバープリントニス（ＯＰニス）
４４    ＵＶ光沢ニス
４５    箔
４６    ラベル
４７    粘着面
４８    印刷面
４９    台紙
【図１】
2020104298.tif 000003
【図２】
2020104298.tif 000004
【図３】
2020104298.tif 000005
【図４】
2020104298.tif 000006
【図５】
2020104298.tif 000007
【図６】
2020104298.tif 000008
【図７】
2020104298.tif 000009
【図８】
2020104298.tif 000010
【図９】
2020104298.tif 000011
【図１０】
2020104298.tif 000012
【図１１】
2020104298.tif 000013
【図１２】
2020104298.tif 000014
【図１３】
2020104298.tif 000015
【図１４】
2020104298.tif 000016
【図１５】
2020104298.tif 000017
【図１６】
2020104298.tif 000018
【図１７】
2020104298.tif 000019
【図１８】
2020104298.tif 000020
【図１９】
2020104298.tif 000021
【図２０】
2020104298.tif 000022
【図２１】
2020104298.tif 000023
【図２２】
2020104298.tif 000024
【図２３】
2020104298.tif 000025